(57)【要約】記載される発明の幾つかの実施態様は、脚又は足等の付属器官の創傷を治療するために全面接触ギプスを患者に適用するシステム及び方法に関する。ギプスシステムは、任意の好適な構成要素を含むことができるが、幾つかの場合、クラムシェル型ギプス、免荷穴を画定する（又は画定するようにカスタマイズ可能な）足支持体、並びに、（圧迫靴下、パッド靴下及び／又は付加的なパッド等の）ギプス下張りを含む。幾つかの実施態様では、クラムシェル型ギプスの第１の長さは、患者の脹脛に適用され、ギプスの第２の長さは患者の足にわたって適用され、第３の長さは、患者の脹脛の一部を上に延びるように患者の足にわたって折り返される。幾つかの場合、ストラップ又はウイングを用いて第１の長さ及び第３の長さを一緒に取り付ける。他の実施態様も記載される。
2016528962.tif 000002
【特許請求の範囲】
【請求項１】
整形外科用ギプスであって：
硬化性ギプス材料の長尺片であって：
患者の付属器官の第１の表面にわたって延びるように構成されている、前記ギプス材料の第１の長さ；
患者の付属器官の端部の周りに巻き付くように構成されている、前記ギプス材料の第２の長さ；及び
患者の付属器官の第２の表面を上に延びるように構成されている、前記ギプス材料の第３の長さであって、前記第２の表面は、患者の付属器官の前記第１の表面とは実質的に反対側であり、前記ギプス材料の前記第１の長さ及び前記ギプス材料の前記第３の長さは、前記整形外科用ギプスを患者の付属器官に固定するように構成されている、第３の長さ
を含む硬化性ギプス材料の長尺片
を備える、整形外科用ギプス。
【請求項２】
前記整形外科用ギプスは、前記第１の長さと前記第３の長さとの間に延びて前記整形外科用ギプスを患者の付属器官に固定するように構成されているウイング及びストラップのうちの少なくとも一方を含む、請求項１に記載のギプス。
【請求項３】
患者の付属器官は脚を含み、前記ギプス材料の前記第２の長さは、脚の踵、裏及びつま先の一部にわたって延びるように構成されている、請求項１に記載のギプス。
【請求項４】
患者の付属器官は脚を含み、前記ギプス材料の前記第３の長さは、足背部分及び脚のすねにわたって延びるように構成されている、請求項１に記載のギプス。
【請求項５】
患者の付属器官は脚を含み、前記第２の部分は、前記第２の部分と前記第３の部分との間で脚の足背部分にわたって延びるように構成されている足ストラップを含む、請求項１に記載のギプス。
【請求項６】
前記硬化性ギプス材料の長尺片は、それ自体が患者の付属器官の周りに螺旋状に巻き付かない、請求項１に記載のギプス。
【請求項７】
前記第１の長さと前記第３の長さとの間に延びて前記整形外科用ギプスを患者の付属器官に固定するように構成されているストラップを更に含む、請求項１に記載のギプス。
【請求項８】
前記ストラップは、患者の付属器官に適用される前に前記ギプス材料の一部に恒久的に結合される、請求項７に記載のギプス。
【請求項９】
前記ストラップは、前記第１の長さ、前記第２の長さ及び前記第３の長さのうちの少なくとも１つに取り付けられ、前記第１の長さ、前記第２の長さ及び前記第３の長さのうちの少なくとも１つから実質的に直角に延びる、請求項７に記載のギプス。
【請求項１０】
患者の付属器官は脚を含み、前記整形外科用ギプスは、前記第１の長さと前記第３の長さとの間で、前記整形外科用ギプスの足首部分及び足部分のうちの少なくとも一方の周囲に延びる補強材を更に含む、請求項１に記載のギプス。
【請求項１１】
整形外科用ギプスであって：
硬化性ギプス材料の長尺片であって：
患者の下腿の後面にわたって延びるように構成されている、前記ギプス材料の第１の長さ；
患者の脚の足の踵端及びつま先端にわたって巻き付くように構成されている、前記ギプス材料の第２の長さ；並びに
患者の下腿の前面にわたって延びるように構成されている、前記ギプス材料の第３の長さ
を含む、硬化性ギプス材料の長尺片；並びに
前記第１の長さと前記第３の長さとの間に延びて前記整形外科用ギプスを患者の下腿に固定するように構成されているコネクタ
を備える、整形外科用ギプス。
【請求項１２】
前記コネクタは、前記硬化性ギプス材料の片を含む、請求項１１に記載のギプス。
【請求項１３】
前記コネクタは、前記硬化性ギプス材料の前記長尺片よりも、前記硬化性ギプス材料のより少ない層を含む、請求項１２に記載のギプス。
【請求項１４】
前記硬化性ギプス材料の前記長尺片は、前記第１の長さと前記第２の長さとの間の折り曲げ調節部を含む、請求項１１に記載のギプス。
【請求項１５】
前記硬化性ギプス材料の前記長尺片は、前記第２の長さと前記第３の長さとの間の折り曲げ調節部を含む、請求項１１に記載のギプス。
【請求項１６】
前記硬化性ギプス材料の前記長尺片は通気穴を画定する、請求項１１に記載のギプス。
【請求項１７】
前記硬化性ギプス材料は抗菌材料を含む、請求項１１に記載のギプス。
【請求項１８】
全面接触ギプスであって：
硬化性ギプス材料の長尺片であって：
患者の下腿の後面にわたって延びるように構成されている、前記ギプス材料の第１の長さ；
患者の脚の足の踵端及びつま先端にわたって巻き付くように構成されている、前記ギプス材料の第２の長さ；並びに
患者の下腿の前面にわたって延びるように構成されている、前記ギプス材料の第３の長さ
を含む、硬化性ギプス材料の長尺片；
前記硬化性ギプス材料を含む足ストラップであって、前記第２の長さを前記第３の長さに結合するように構成されている、足ストラップ；並びに
前記硬化性ギプス材料を含む第１の下腿ストラップであって、前記第１の長さを前記第３の長さに結合するように構成されている、第１の下腿ストラップ
を備える、全面接触ギプス。
【請求項１９】
前記ギプスは、患者の下腿のつま先の前方部分にわたって延びながら、前記つま先に隣接して外側及び内側のうちの少なくとも一方が開口するように構成されている、請求項１８に記載のギプス。
【請求項２０】
前記第１のストラップと噛み合うように構成されている第２の下腿ストラップを更に含む、請求項１８に記載のギプス。
【請求項２１】
整形外科用ギプスであって：
患者の付属器官の第１の側及び第２の側を覆うように構成されている硬化性ギプス材料の片であって、前記第１の側は、前記第２の側と実質的に反対側の位置にある、硬化性ギプス材料の片；並びに
前記硬化性ギプス材料の前記片の第１の端間に延びて前記硬化性ギプス材料の前記片を患者の付属器官に固定するように構成されている、ウイング及びストラップのうちの少なくとも一方
を備える、整形外科用ギプス。
【請求項２２】
足支持体であって：
後方部分及び前方部分を有する長尺の足パッド
を備え、
前記足パッドは第１の層のパッドを含み、
前記足パッドの前記前方部分は、実質的に弾性的な形状を有するつま先保護部を含み、
前記つま先保護部は、少なくとも１つのつま先が前記長尺の足パッドの前記前方部分にある状態で足が前記足パッドに配置されると、前記少なくとも１つのつま先の前方部分にわたって延びるように構成されている、足支持体。
【請求項２３】
前記足パッドは、除去されて該足パッドに免荷穴を形成するように構成されている複数の小孔線部を含む、請求項２２に記載の足支持体。
【請求項２４】
前記足パッドは免荷穴を画定する、請求項２２に記載の足支持体。
【請求項２５】
前記つま先保護部は、前記少なくとも１つのつま先が前記長尺の足パッドの前記前方部分にある状態で前記足が前記足パッドに配置されると、前記少なくとも１つのつま先の足背部分にわたって延びるように更に構成されている、請求項２２に記載の足支持体。
【請求項２６】
前記実質的に弾性的な形状は、前記足パッドの静止時に実質的にＪ字形状の見た目を有する、請求項２２に記載の足支持体。
【請求項２７】
前記つま先保護部は通気穴を画定する、請求項２２に記載の足支持体。
【請求項２８】
前記足パッドは、前記第１の層のパッドに配置される第２の層のパッドを更に含み、前記第１の層のパッドは、前記第２の層のパッドよりも高いデュロメータ値を有する、請求項２２に記載の足支持体。
【請求項２９】
前記つま先保護部は、前記足パッドの外側及び内側のうちの少なくとも一方に側壁を含む、請求項２２に記載の足支持体。
【請求項３０】
前記足パッドを短くするよう除去されるように構成されている複数の小孔線部を更に含む、請求項２２に記載の足支持体。
【請求項３１】
前記つま先保護部は、上面図から見たときに前記足パッドの内側から外側に傾斜するように構成されている、請求項２２に記載の足支持体。
【請求項３２】
足支持体であって：
後方部分及び前方部分を有する長尺の足パッド
を備え、
前記足パッドは、第１の層のパッド、及び、該第１の層のパッドに配置される第２の層のパッドを含み、
前記第２の層のパッドは、前記第１の層のパッドよりも低いデュロメータ値を有し、
前記足パッドの前記前方部分は、弾性的な形状を有するつま先保護部を含み、
前記つま先保護部は、少なくとも１つのつま先が前記長尺の足パッドの前記前方部分に配置された状態で足が前記足パッドに配置されると、前記少なくとも１つのつま先の前方部分及び足背部分にわたって延びるように構成されている、足支持体。
【請求項３３】
前記足パッドは、除去されて該足パッドに免荷穴を形成するように構成されている複数の小孔線部を含む、請求項３２に記載の足支持体。
【請求項３４】
前記足パッドは免荷穴を画定する、請求項３２に記載の足支持体。
【請求項３５】
前記つま先保護部は、上面図から見たときに前記足パッドの内側と外側との間で湾曲する、請求項３２に記載の足支持体。
【請求項３６】
足支持体をカスタマイズする方法であって：
後方部分及び前方部分を有する足パッドを準備することであって、前記足パッドは第１の層のパッドを含み、前記足パッドの前記前方部分は、少なくとも１つのつま先が前記足パッドの前方部分に配置された状態で足が前記足パッドに配置されると、前記少なくとも１つのつま先の前方端にわたって延びるように構成されている弾性的な形状を有するつま先保護部を含む、準備すること、及び
前記足の創傷の位置に実質的に対応する免荷穴を形成するように前記足パッドの第１の部分を除去すること
を含む、方法。
【請求項３７】
前記足パッドの前記第１の部分を除去することは、該足パッドの該第１の部分を、前記足パッドの小孔線部に沿って前記足パッドの残りの部分から分離することを含む、請求項３６に記載の方法。
【請求項３８】
前記足パッドに前記足の形状の輪郭を形成すること、及び、前記足パッドの第２の部分を除去することであって、該足パッドの該第２の部分の少なくとも幾らかは前記輪郭の外側に出る、除去することを更に含む、請求項３６に記載の方法。
【請求項３９】
前記足パッドは抗菌材料を含む、請求項３６に記載の方法。
【請求項４０】
前記抗菌材料は防臭特性を有する、請求項３９に記載の方法。
【請求項４１】
前記足パッドは、前記第１の層のパッドに配置される第２の層のパッドを更に含み、前記第１の層のパッドは、前記第２の層のパッドよりも高いデュロメータ値を有する、請求項３６に記載の方法。
【請求項４２】
前記つま先保護部に通気穴を形成することを更に含む、請求項３６に記載の方法。
【請求項４３】
足支持体であって：
第１の層のパッドを含む足パッド
を備え、
前記足パッドは、（ｉ）該足パッドに載る足の創傷に対応する位置にあり、創傷から重みを免荷するように構成されている免荷穴、及び、（ｉｉ）前記足パッド内の種々の位置において前記免荷穴を形成するよう分離されるように構成されている複数の小孔線のうちの少なくとも一方を含む、足支持体。
【請求項４４】
前記足支持体は、前記足パッド内の種々の位置において前記免荷穴を形成するよう分離されるように構成されている前記複数の小孔線を含む、請求項４３に記載の足支持体。
【請求項４５】
前記足パッドは第２の層のパッドを更に含み、該第２の層のパッドは、前記第１の層のパッドよりも低いデュロメータ値を有する、請求項４４に記載の足支持体。
【請求項４６】
ギプス歩行具であって：
ギプスに取り付けられるように構成されている長尺の足パッドであって、該足パッドの接地部分が前記ギプスの遠位部分から露出されるようにする、長尺の足パッド
を備え、
前記足パッドの前方部分は、弾性、剛性及び半剛性のうちの少なくとも１つである形状を有するつま先保護部に形成され、
前記つま先保護部は、少なくとも１つのつま先が前記長尺の足パッドの前記前方部分に配置された状態で足が前記足パッドに配置されると、前記少なくとも１つのつま先の前方端にわたって延びるように構成されている、ギプス歩行具。
【請求項４７】
足支持体であって：
第１の層のパッドを含む足パッド；
創傷を有する足が前記足パッドに置かれると前記創傷から重みを免荷するように構成されている免荷穴；及び
前記足パッドの一部の周りの縁であって、該足パッドの該縁は斜角部分を含む、縁
を含む、足支持体。
【請求項４８】
抗菌材料を含む整形外科用ギプス材料。
【請求項４９】
整形外科用ギプスであって：
身体部分にわたって延びるとともに身体部分の周りに保護ギプスを提供するように構成されているギプス材料の片；及び
ギプス下張りであって、該ギプスの内面と前記身体部分との間に配置されるように構成されており、抗菌材料を含む、ギプス下張り
を備える、整形外科用ギプス。
【請求項５０】
前記抗菌材料は、竹材料、銀コーティング生地、銅コーティング生地、銀／銅コーティング生地、銀／銅／ニッケルコーティング生地、銀／銅／錫コーティング生地及びそれらの組み合わせから選択される、請求項４９に記載のギプス。
【請求項５１】
前記抗菌材料は竹材料を含む、請求項４９に記載のギプス。
【請求項５２】
前記ギプス下張りは圧迫靴下を含む、請求項４９に記載のギプス。
【請求項５３】
前記ギプス下張りはパッド層を含む、請求項４９に記載のギプス。
前記ギプス下張りは圧迫靴下及びパッド層の双方を含む、請求項４９に記載のギプス。
【請求項５４】
前記パッド層は前記圧迫靴下の外面に少なくとも部分的に配置される、請求項５４に記載のギプス。
【請求項５５】
前記パッド層の少なくとも一部は前記ギプスの前記内面に結合され、前記パッド層及び前記圧迫靴下は、前記身体部分の皮膚と前記ギプス自体との間の少なくとも幾らかの剪断移動が前記パッド層と前記圧迫靴下との間で生じるように構成されるよう、前記ギプス内で独立して移動可能である、請求項５５に記載のギプス。
【請求項５６】
整形外科用ギプスであって：
身体部分にわたって延びるとともに身体部分の周りに保護層を提供するように構成されているギプス材料の硬化性の片を含む整形外科用ギプス；並びに
該整形外科用ギプス内に配置される多層剪断低減システムであって：
前記身体部分の一部にわたって延びるように構成されている第１の下張り構成要素；及び
前記第１の下張り構成要素と該整形外科用ギプスの内面との間に配置される第２の下張り構成要素であって、前記第１の下張り構成要素及び該第２の下張り構成要素は、前記身体部分の皮膚と前記ギプス自体との間の少なくとも幾らかの剪断移動が前記パッド層と前記圧迫靴下との間で生じるように構成されるよう、前記ギプス内で互いに独立して移動可能である、第２の下張り構成要素
を含む、多層剪断低減システム
を備える、整形外科用ギプス。
【請求項５７】
前記第１の下張り構成要素は圧迫靴下を含む、請求項５７に記載のギプス。
【請求項５８】
前記第１の下張りは抗菌材料を含む、請求項５８に記載のギプス。
【請求項５９】
前記第１の下張りは竹材料を含む、請求項５９に記載のギプス。
【請求項６０】
前記第２の下張り構成要素はパッド層を含む、請求項５７に記載のギプス。
【請求項６１】
前記パッド層の一部が前記整形外科用ギプスの内面に結合される、請求項６１に記載のギプス。
【請求項６２】
前記ギプスは全面接触ギプスを含む、請求項５７に記載のギプス。
【請求項６３】
前記第１の下張り構成要素はほころばない織り目を含む、請求項５７に記載のギプス。
【請求項６４】
整形外科用ギプスであって：
身体部分にわたって延びるとともに身体部分の周りに保護層を提供するように構成されているギプス材料の硬化性の片を含む整形外科用ギプス；
圧迫靴下；及び
パッド靴下
を備え、
前記圧迫靴下及び前記パッド靴下は前記整形外科用ギプスとともに配置され、それによって、前記圧迫靴下の一部が、前記パッド靴下よりも前記身体部分の近くに配置されるように構成され、前記圧迫靴下及び前記パッド靴下は前記ギプス内で互いに独立して移動可能である、整形外科用ギプス。
【請求項６５】
前記圧迫靴下及び前記パッド靴下のうちの少なくとも一方は抗菌材料を含む、請求項６５に記載のギプス。
【請求項６６】
前記抗菌材料は、竹材料、銀コーティング生地、銅コーティング生地、銀／銅コーティング生地、銀／銅／ニッケルコーティング生地、銀／銅／錫コーティング生地及びそれらの組み合わせから選択される、請求項６６に記載のギプス。
【請求項６７】
前記圧迫靴下及び前記パッド靴下の双方は竹材料を含む、請求項６６に記載のギプス。
【請求項６８】
ギプス下張りであって：
ギプス材料の硬化片を含む整形外科用ギプスの内面と、該整形外科用ギプスによって覆われる身体部分との間に配置されるように構成されているギプス下張りであって、抗菌材料を含み、ほころばない織り目を含む、ギプス下張りを含む、ギプス下張り。
【請求項６９】
ギプス下張りであって：
ギプス材料の硬化片を含む整形外科用ギプスの内面と、該整形外科用ギプスによって覆われる身体部分との間に配置されるように構成されているギプス下張り靴下であって、該ギプス下張りは、該下張り靴下が下腿に配置されると該下腿の近位外側部分にわたって延びるように構成されている、該下張り靴下の一部に配置される付加的なパッドの片を含む、ギプス下張り靴下を含む、ギプス下張り。
【請求項７０】
整形外科用ギプス材料の片であって：
内面及び外面を含む硬化性ギプス材料の長尺片であって、前記内面は、前記硬化性ギプス材料がギプスを形成するように身体部分に適用されると該身体部分に面するように構成されており、前記硬化性ギプス材料が前記ギプスを形成するように前記身体部分に適用される前に、パッド層が、前記ギプス材料の前記内面に固定して取り付けられる、硬化性ギプス材料の長尺片を含む、整形外科用ギプス材料の片。
【請求項７１】
整形外科用ギプスシステムであって：
患者の下腿の一部の周りで硬化して整形外科用ギプスを形成するように構成されているギプス材料；
前記整形外科用ギプス内に配置されるように構成されているパッド付き足支持体；並びに
前記整形外科用ギプス内に配置されるように構成されている多層剪断低減システムであって：
患者の下腿の一部にわたって延びるように構成されている第１の下張り構成要素；及び
前記第１の下張り構成要素と前記整形外科用ギプスの内面との間に配置されるように構成されている第２の下張り構成要素であって、それによって、前記第１の下張り構成要素及び該第２の下張り構成要素は、前記ギプス内で互いに独立して移動可能である、第２の下張り構成要素
を含む、多層剪断低減システム
を備える、整形外科用ギプスシステム。
【請求項７２】
前記足支持体は、該足支持体内の種々の位置において創傷免荷穴を形成するよう分離されるように構成されている複数の小孔線部を含む、請求項７２に記載のギプスシステム。
【請求項７３】
前記足支持体は第１のパッド層及び第２のパッド層を含み、前記整形外科用ギプス内で前記第１の層よりも患者の足に近いように構成されている前記第２のパッド層は、前記第１のパッド層よりも低いデュロメータ値を有する、請求項７２に記載のギプスシステム。
【請求項７４】
前記足支持体は、患者の足が前記整形外科用ギプス内の該足支持体に置かれると、患者のつま先のうちの少なくとも１つにわたって延びるように構成されている弾性的な形状を有するつま先保護部を含む、請求項７２に記載のギプスシステム。
【請求項７５】
前記弾性的な形状はＪ字形状を含む、請求項７５に記載のギプスシステム。
【請求項７６】
前記足支持体、前記第１の下張り構成要素及び前記第２の下張り構成要素のうちの少なくとも１つは抗菌材料を含む、請求項７２に記載のギプスシステム。
【請求項７７】
前記抗菌材料は、竹、銀、銅、ニッケル及び錫のうちの少なくとも１つを含む、請求項７７に記載のギプスシステム。
【請求項７８】
前記足支持体は、前記ギプスに配置される患者の足の創傷に対応する位置に構成されている免荷穴を画定する、請求項７２に記載のギプスシステム。
【請求項７９】
患者が前記ギプスに載って歩くことを可能にするように該ギプスに取り付けられるように構成されている足プレートを更に備える、請求項７２に記載のギプスシステム。
【請求項８０】
全面接触ギプスであって：
硬化性ギプス材料の長尺片であって：
患者の脚の第１の表面にわたって延びるように構成されている、該ギプス材料の第１の長さ；
患者の脚の足の一部の周りに巻き付くように構成されている、該ギプス材料の第２の長さ；及び
患者の脚の第２の表面を上に延びるように構成されている、該ギプス材料の第３の長さであって、前記第２の表面は、患者の脚の前記第１の表面とは実質的に反対側である、第３の長さ
を含む、硬化性ギプス材料の長尺片；
前記ギプス材料の前記第１の長さと前記ギプス材料の前記第３の長さとの間に延びて該ギプスを患者の脚に固定するように構成されているコネクタ；
患者の下腿の一部にわたって延びるように構成されている第１の下張り構成要素；並びに
前記第１の下張り構成要素の一部にわたって延びるように構成されている第２の下張り構成要素であって、前記第１の下張り及び該第２の下張りは、該ギプス内で互いに対して移動可能であるように構成されている、第２の下張り構成要素
を備える、全面接触ギプス。
【請求項８１】
前記第１の下張りは抗菌材料を含む、請求項８１に記載のギプス。
【請求項８２】
前記第１の下張りは竹材料を含む、請求項８２に記載のギプス。
【請求項８３】
前記第１の下張りは圧迫靴下を含み、前記第２の下張りはパッド靴下を含む、請求項８１に記載のギプス。
【請求項８４】
前記硬化性ギプス材料の前記長尺片は通気穴を画定する、請求項８１に記載のギプス。
【請求項８５】
全面接触ギプスであって：
硬化性ギプス材料の長尺片であって：
患者の脚の第１の表面にわたって延びるように構成されている、該ギプス材料の第１の長さ；
患者の脚の足の一部の周りに巻き付くように構成されている、該ギプス材料の第２の長さ；及び
患者の脚の第２の表面を上に延びるように構成されている、該ギプス材料の第３の長さであって、前記第２の表面は、患者の脚の前記第１の表面とは実質的に反対側である、第３の長さ；
を含む、硬化性ギプス材料の長尺片；
前記第１の長さと前記第３の長さとの間に延びて該ギプスを患者の脚に固定するように構成されているコネクタ；
該ギプス内に配置されるように構成されているパッド付き足支持体であって、弾性的な形状を有するつま先保護部を含む、パッド付き足支持体；
患者の下腿の一部にわたって延びるように構成されている第１の下張り構成要素；並びに
前記第１の下張り構成要素の一部にわたって延びるように構成されている第２の下張り構成要素であって、前記第１の下張り及び該第２の下張りは、該ギプス内で互いに対して移動可能であるように構成されている、第２の下張り構成要素
を備える、全面接触ギプス。
【請求項８６】
前記足支持体は、患者の脚の前記足の創傷から重みを免荷するように構成されている免荷穴を画定する、請求項８６に記載のギプス。
【請求項８７】
前記足支持体は第１のパッド層及び第２のパッド層を含み、前記ギプス内で前記第１の層よりも患者の足に近いように構成されている前記第２のパッド層は、前記第１のパッド層よりも低いデュロメータ値を有する、請求項８６に記載のギプス。
【請求項８８】
前記足支持体、前記第１の下張り構成要素及び前記第２の下張り構成要素のうちの少なくとも１つは抗菌材料を含む、請求項８６に記載のギプス。
【請求項８９】
前記足支持体は、つま先保護部を含むギプス歩行具を含む、請求項８６に記載のギプス。
【請求項９０】
前記第１の下張り構成要素は圧迫靴下を含み、前記第２の下張り構成要素はパッド靴下を含む、請求項８６に記載のギプス。
【請求項９１】
整形外科用ギプスに結合されるように構成されている足プレートであって：
患者の足を覆うギプスのソール部分を受け入れるように構成されている上面であって、該上面の後方部分は、前記ギプスの踵部分を受け入れるように構成されている凹部を画定する、上面；及び
偏心部分を含むカム形状の下面であって、前記偏心部分は、該足プレートの後方部分及び足プレートの前方部分のうちの少なくとも一方に配置され、前記上面の最高部分と該下面の最低部分との間の距離は約１．５ｃｍよりも小さい、カム形状の下面
を含む、足プレート。
【請求項９２】
整形外科用ギプスを患者に適用する方法であって：
硬化性ギプス材料の長尺片を含む整形外科用ギプスを得ること；
前記ギプス材料の前記長尺片の第１の長さを付属器官の第１の表面にわたって配置すること；
前記ギプス材料の前記長尺片の第２の長さを前記付属器官の端にわたって配置すること；
前記ギプス材料の前記長尺片の第３の長さを前記付属器官の第２の表面にわたって配置することであって、前記第２の表面は前記第１の表面とは実質的に反対側である、配置すること；及び
前記第１の長さを前記第３の長さに固定すること
を含む、方法。
【請求項９３】
前記整形外科用ギプスは、患者が着座姿勢、伏臥姿勢及び背臥姿勢のうちの少なくとも１つにある間に患者に配置されるように構成されている、請求項９３に記載の方法。
【請求項９４】
少なくとも１つのストラップ及びウイングによって前記第２の長さを前記第３の長さに固定することを更に含む、請求項９３に記載の方法。
【請求項９５】
前記長尺ギプス材料は通気穴を画定する、請求項９３に記載の方法。
【請求項９６】
抗菌材料を含むギプス下張りを前記付属器官に配置することを更に含む、請求項９３に記載の方法。
【請求項９７】
圧迫靴下を前記付属器官に配置することを更に含む、請求項９３に記載の方法。
【請求項９８】
パッド靴下を前記付属器官に配置することを更に含む、請求項９８に記載の方法。
【請求項９９】
前記パッド靴下の少なくとも一部を前記整形外科用ギプスに取り付けることを更に含む、請求項９９に記載の方法。
【請求項１００】
整形外科用ギプスを患者に適用する方法であって：
硬化性ギプス材料の長尺片を含む整形外科用ギプスを得ること；
前記ギプス材料の前記長尺片の第１の長さを患者の下腿の後面にわたって配置すること；
前記ギプス材料の前記長尺片の第２の長さを患者の下腿の踵、裏及びつま先の一部にわたって配置すること；
前記ギプス材料の前記長尺片の第３の長さを患者の下腿の前面にわたって配置することであって、前記ギプス材料の前記長尺片の前記第１の長さ、前記第２の長さ及び前記第３の長さは一緒に一体的に接続される、配置すること；並びに
第１のストラップ及び第１のウイングのうちの少なくとも一方によって前記第１の長さを前記第３の長さに固定すること
を含む、方法。
【請求項１０１】
第１の下張り構成要素及び第２の下張り構成要素を患者の下腿の一部にわたって配置することを更に含む、請求項１０１に記載の方法。
【請求項１０２】
前記第１の下張り構成要素及び前記第２の下張り構成要素は、互いに対して前記整形外科用ギプス内で独立して移動可能である、請求項１０１に記載の方法。
【請求項１０３】
前記第１の下張り構成要素は圧迫靴下を含み、前記第２の下張りはパッド靴下を含む、請求項１０２に記載の方法。
【請求項１０４】
前記第１の下張り構成要素は抗菌材料を含む、請求項１０２に記載の方法。
【請求項１０５】
組み込みのつま先保護部を含む足支持体を得ること、及び、患者の下腿の足を前記足支持体に配置することを更に含む、請求項１０２に記載の方法。
【請求項１０６】
前記足支持体の、前記足の創傷に対応する位置の一部を除去して免荷穴を形成することを更に含む、請求項１０６に記載の方法。
【請求項１０７】
全面接触ギプスを患者に適用する方法であって：
全面接触ギプスを得ることであって、全面接触ギプスは：
第１の長さ、第２の長さ及び第３の長さを有する硬化性ギプス材料の長尺片；並びに
前記ギプス材料の前記長尺片の外側縁及び内側縁のうちの少なくとも一方から横方向に延びる前記硬化性材料の第１のストラップ部分
を含む、全面接触ギプスを得ること；
前記ギプス材料の前記長尺片の前記第１の長さを患者の下腿の後面にわたって配置すること；
前記ギプス材料の前記長尺片の前記第２の長さを患者の下腿の踵、裏及びつま先の一部にわたって配置すること；
前記ギプス材料の前記長尺片の前記第３の長さを患者の下腿の前面にわたって配置すること；並びに
第１の長さと第３の長さとの間の前記第１のストラップ部分を巻き付けることによって前記第１の長さを前記第３の長さに固定すること
を含む、方法。
【請求項１０８】
圧迫靴下及びパッド靴下を患者の下腿の一部に配置することを更に含む、請求項１０８に記載の方法。
【請求項１０９】
前記圧迫靴下は抗菌材料を含む、請求項１０９に記載の方法。
【請求項１１０】
前記抗菌材料は竹材料を含む、請求項１０９に記載の方法。
【請求項１１１】
前記パッド靴下の一部を前記全面接触ギプスの内面に結合することを更に含む、請求項１０９に記載の方法。
【請求項１１２】
前記第１のストラップ部分は、該第１のストラップ部分を接続するべき第２のストラップ部分を特定する一致機構を含む、請求項１０９に記載の方法。
【発明の詳細な説明】
【技術分野】
【０００１】
本発明は、整形外科用ギプスに関する。詳細には、本発明の幾つかの実施態様は、脚又は足等の付属器官の治療において用いることができる全面接触ギプスシステムの１つ又は複数の構成要素に関する。実際には、幾つかの実施態様では、記載されるギプスシステムは、患者の足の痛む部位、潰瘍又は創傷から重みを免荷しながら、患者の足及び脚を支持するように構成されている。
【背景技術】
【０００２】
世界中の人々は、自身の足の一方又は双方への潰瘍形成及び負傷に苦しんでいる。例えば、糖尿病を患っている多くの人々は、自身の付属器官における不十分な血流にも悩まされているため、そのような人々は、自身の足、特に自身の足の裏において痛む部位、創傷又は潰瘍を生じるリスクが比較的高い可能性がある。そのような痛む部位、潰瘍及び他の創傷は、個人の生活に著しく影響を与え、個人が歩き、働き、遊ぶ能力を制限し、回復過程で回復のために個人（又は他者）が費やす金額及び時間が比較的多量になる可能性がある。さらに、幾つかの極端な場合、そのような痛む部位、潰瘍及び創傷は、健康管理コストを著しく増大させる可能性がある切断術、及び、他の面倒な生活につながる可能性がある。
【０００３】
足の創傷の治癒における１つの重要な要因は、創傷から患者の重みを免荷することである。しかし、多くの個人（糖尿病患者を含む）は、神経障害（又は１つ又は複数の付属器官における神経の損傷）を患っているため、多くのそのような個人は、多くの場合に、足の痛む部位、潰瘍形成及び／又は創傷に通常は関連する痛みを感じることができない。その結果、そのような個人によっては、足の損傷のある部分に加えられる圧力を低減しようとする動機付けが痛みに大きくよらない可能性があり、これによって、最終的に組織の破壊、潰瘍形成及び他の損傷につながる可能性がある。したがって、そのような個人によっては、自身の足及び／又は足の創傷に、有害な量の重みをかけ続ける可能性があり、したがって、創傷を更に悪化させることで、感染症及び他の共存症の可能性を高める。
【０００４】
足の潰瘍形成、痛む部位及び他の創傷を患う個人を治療するために、幾つかのギプス、ブーツ及び他の装置が開発されてきた。幾つかのそのような装置はそのような創傷の治療において有用であったが、そのような装置は必ずしもそれらの欠点がないわけではない。実際には、足の創傷を治療する幾つかの従来の装置は、比較的：装着が困難であり、外すことが困難であり、不快であり、通気性がなく、異常な位置にある損傷から重みを免荷することに効果がなく、他の器具（例えば陰圧閉鎖療法）との併用が困難であり、及び／又は、その他の理由でこれらの創傷の治療における使用が難しいか若しくは効果がない。
【０００５】
したがって、足の創傷、潰瘍形成及び痛む部位を治療するのに用いられる技法が現在存在するが、前述したものを含め、課題が依然として存在する。したがって、当該技術分野において、現行の技法を高めるか、又は更には、代わりに他の技法を用いることが改良となるであろう。
【発明の概要】
【０００６】
本発明は、整形外科用ギプスに関する。詳細には、本発明の幾つかの実施態様は、脚又は足等の付属器官の治療において用いることができる全面接触ギプスシステムの１つ又は複数の構成要素に関する。実際には、幾つかの実施態様では、記載されるギプスシステムは、患者の足の創傷から重みを免荷するとともに、そのような重みを、患者の脚の１つ又は複数の他の部分（例えば、前足部、アーチ、踵、アキレス腱、下腿の錐体等）に分散させながら、患者の足及び脚を支持するように構成されている。
【０００７】
記載される整形外科用ギプスシステムは、任意の好適な構成要素又は特徴を含むことができるが、幾つかの実施態様では、「クラムシェル」ギプス、足支持体、１つ又は複数のギプス下張り、及び／又は、足プレート／ブーツを含む。クラムシェル型ギプス（又はギプス）に関して、ギプスは、患者の身体（例えば患者の下腿の後方部分すなわち脹脛）の第１の表面にわたって適用すること、患者の足の一部にわたって適用すること、及び次に、患者の身体（例えば患者の下腿の前方部分すなわちすね）の第２の表面にわたって適用することを可能にする任意の好適な構成要素又は特徴を含むことができ、第２の表面は、第１の表面とは実質的に反対側である。実際には、幾つかの場合、ギプスは、患者の下腿の後方部分（すなわち脹脛）の長手方向軸に沿って実質的に鉛直に延び、患者の踵の周りで曲がり、患者の足の裏に沿って延び、患者のつま先のうちの１つ又は複数にわたって上に曲がり、患者の足背部分を横切って延び、患者の下腿の前方部分（すなわちすね）に沿って鉛直に延びるように構成されている、硬化性ギプス材料の長尺片を含む。
【０００８】
ギプスの前方部分及び後方部分は、任意の好適な方法で（例えば１つ又は複数の弾性バンド、ギプス材料の片、ベルト、紐、ストラップ、タイ、締結具、テープの片、及び／又は、任意の他の好適なコネクタによって）互いに及び患者の付属器官（例えば下腿）に取り付けることができるが、幾つかの実施形態では、ギプスは、ギプスの前方部分及び／又は後方部分から延びてギプスの反対部分に重なるように構成されている１つ又は複数のストラップ及び／又はウイングを含む。これらのウイング及び／又はストラップは、任意の好適な機能を果たすことができるが、幾つかの例では、ギプスの種々の部分を一緒に接続し、ギプスを補強し、及び／又は、付属器官の一部にわたって重みを広げることに役立つ（それによって、付属器官の創傷から重みを免荷する）。
【０００９】
足支持体に関して、足支持体は、患者の重みの一部を患者の足の裏（又は別の部分）の創傷から免荷することを可能にする任意の好適なパッドを含むことができる。幾つかの実施態様では、パッドは、少なくとも２つの層のパッドを含み、各層は異なるデュロメータ値を有する。その結果、幾つかのそのような実施態様は、足の創傷から圧力を免荷しながら、足の衝撃を和らげることが可能である。
【００１０】
幾つかの実施態様では、足支持体は、患者の足の創傷に対応する位置に（並びに他の態様で患者の足の創傷に加えられる圧力を低減するように）構成されている免荷穴を画定する（又は画定するように容易に変更されるように構成されている）。そのような免荷穴は、足支持体に任意の好適な方法で画定することができるが、幾つかの実施態様では（選択される足支持体のタイプに応じて）、穴は、支持体に（例えばフリーハンドで、ハサミ、パンチ、ナイフ等を用いて）切り込まれ、支持体の１つ又は複数の小孔線に沿って支持体の一部を除去することによって作られ、及び／又は、足支持体に、免荷穴を画定する付加的なパッド層を加えることによって作られる。
【００１１】
幾つかの実施態様では、足支持体は、ギプス内に配置され、患者のつま先のうちの１つ又は複数の一部にわたって延びるように構成されているつま先保護部を更に含む。つま先保護部は、記載されるように機能することを可能にする任意の好適な特徴を含むことができるが、幾つかの場合、つま先保護部は、患者のつま先を保護することに役立つように足支持体に弾性的に（又は剛性に）形成される箱形、丸みを帯びた形状及び／又は別の好適な形状を有する部分を含む。
【００１２】
ギプス下張りに関して、下張りは、ギプスの内面とギプス内の付属器官（又は他の身体部分）の皮膚との間に配置されるように構成されている任意の好適な材料を含むことができる。実際には、幾つかの実施態様では、下張りは、抗菌材料（例えば抗真菌及び制菌材料）の１つ又は複数の層を含む。そのような材料の幾つかの例としては、限定はされないが、竹生地、竹レーヨン、銀コーティング生地（例えば銀コーティングポリ（エチレンテレフタレート）、銀コーティングレーヨン、銀コーティングポリエステル、ヨウ素配合布等）、銅コーティング生地、銀／銅コーティング生地、銀／銅／ニッケルコーティング生地、銀／銅／錫コーティング生地、並びに／又は、１つ又は複数の抗菌及び／若しくは防臭特性を有する任意の他の材料が挙げられる。しかし、幾つかの実施態様では、下張りは、竹を含有する生地を含む。
【００１３】
下張りは任意の好適な構成要素を含むことができるが、幾つかの実施態様では、下張りは、パッド層、圧迫層、及び／又は、包帯（又は局所パッド）層を含む。下張りがパッド層を含む場合、パッド層は、限定はされないが、パッド付き靴下又はストッキネット（例えば竹生地を含む靴下又はストッキネット）を含む任意の好適な材料を含むことができる。下張りが圧迫層を含む場合、圧迫層は、付属器官に装着したときに任意の好適な量の圧力（例えば約８ｍｍＨｇ〜約２５ｍｍＨｇ）を提供するように構成されている圧迫靴下又はストッキネット（例えば竹生地を含む靴下又はストッキネット）を含む任意の好適な材料を含むことができる。
【００１４】
下張りが１つ又は複数の材料の２つ、３つ、４つ、５つ又はそれ以上の層を含む幾つかの実施態様では、下張りは、多層剪断低減システムとして機能し、下張りの２つ以上の層が互いに独立して動くことを可能にし、それによって、ギプスが付された付属器官の皮膚とギプス自体との間の剪断移動が、患者の皮膚の表面においてではなく、下張りの複数の層（例えばパッド靴下及び圧迫靴下）間で生じることを可能にする。
【００１５】
足プレート／ブーツに関して、記載されるギプスシステム（及びその種々の構成要素）の幾つかの実施態様は、足プレート又はブーツなしに用いられる（例えば履いて歩かれる）ように構成されている。しかし、他の実施態様では、ギプスの１つ又は複数の構成要素は、足プレート及び／又はブーツとともに用いられる。足プレートに関して、足プレートは、患者の足を支持し、及び／又は、患者の足の裏の創傷から重みを免荷する任意の好適な特徴部を含むことができる。実際には、幾つかの例では、足プレートの後方部分は、足プレートにおいて患者の踵を受け及び／又は正確に位置決めするように構成されている凹部を画定する。幾つかの場合、足プレートは、カム形状の下面を更に含む。そのような場合、足プレートのカム形状の下面の偏心部分を、限定はされないが、足プレートの長さの（又は足プレートの長さに対して）前方、後方、外側、内側及び／又は中間に配置することを含め、任意の好適な位置に配置することができる。
【００１６】
ブーツに関して、ブーツは、患者の脚の一部を支持することを可能にする任意の好適な特徴又は構成要素を含むことができる。実際には、幾つかの実施態様では、ブーツは、足プレートを患者の脚に取り付けることを可能にする１つ又は複数の直立支持体を有する足プレートを含む。直立支持体は、任意の好適な構成要素を含むことができるが、幾つかの実施態様では、限定はされないが、直立支持体を患者の脚に固定することが可能な１つ又は複数のストラップ、紐、及び／又は、他の装置を含むことができる１つ又は複数の取り付け機構に取り付けられるように構成されている。さらに、幾つかの実施態様では、直立支持体は、直立支持体からの圧力を患者の脚の一部にわたって分散させることに役立つ１つ又は複数のフラップ（例えば、外側フラップ、内側フラップ、後方フラップ、前方フラップ等）を含む。そのような実施形態では、フラップは任意の好適な特徴を有することができる。実際には、幾つかの実施形態では、フラップの内面の１つ又は複数（例えば、ギプスに接触するように構成されている面）は、（例えば、患者がブーツを履いて歩くときに）ギプスに対するその位置を維持することを可能にする材料、テクスチャ及び／又は他の特徴部を含む。
【００１７】
記載されるシステム及び方法は、個人の足の裏（及び他の部分）の１つ又は複数の痛む部位、潰瘍形成及び／又は他の創傷を治療する分野において特に有用であり得るが、当業者は、記載される器具、システム及び方法を、個人の付属器官（例えば、腕、手、指、つま先、脚等）への及び任意の適した位置における多種多様な負傷を治療するために、種々の異なる用途及び種々の異なる製造分野において用いることができることを理解することができる。実際には、幾つかの実施態様では、記載される抗菌下張り（例えば、圧迫靴下及び／若しくはパッド靴下）、足支持体並びに／又はギプス（若しくはそれらの変更されるバージョン）は、腕のギプス、手のギプス、及び／又は、任意の他の好適なギプス若しくは添え木システムにおいて用いられる。
【００１８】
本発明のこれら及び他の特徴並びに利点は、以下の説明において記載されるか、又は以下の説明においてより十分に明らかとなるであろう。さらに、本発明の特徴及び利点は、本発明の実践によって分かり得るか、又は、後述のような説明から明らかである。
【００１９】
本発明の上記で記載した方法並びに他の特徴及び利点が得られるように、本発明のより詳細な説明が、添付の図面に示されるその特定の実施形態を参照して与えられる。図面は本発明の典型的な実施形態のみを示しており、したがって、本発明の範囲を限定するものとしてみなされるべきではないことを理解した上で、本発明を、添付の図面を用いて更に具体的かつ詳細に記載し説明する。
【図面の簡単な説明】
【００２０】
【図１Ａ】整形外科用ギプスシステムの代表的な実施形態の斜視図である。
【図１Ｂ】整形外科用ギプスシステムの代表的な実施形態の断面図である。
【図１Ｃ】整形外科用ギプスシステムの代表的な実施形態の断面図である。
【図２Ａ】クラムシェル型ギプスの代表的な実施形態の上面図である。
【図２Ｂ】患者に配置されたクラムシェル型ギプスの代表的な実施形態の側面図であり、ギプスは、ギプスと患者の脚との関係を非限定的に示すために半透明であるものとして示されている。
【図２Ｃ】クラムシェル型ギプスの代表的な実施形態の上面図である。
【図２Ｄ】クラムシェル型ギプスの代表的な実施形態の上面図である。
【図２Ｅ】クラムシェル型ギプスの代表的な実施形態の上面図である。
【図３Ａ】組み付けられた（又は実質的に組み付けられた）位置におけるクラムシェル型ギプスの代表的な実施形態の上面図である。
【図３Ｂ】組み付けられた（又は実質的に組み付けられた）位置におけるクラムシェル型ギプスの代表的な実施形態の上面図である。
【図４Ａ】クラムシェル型ギプスの代表的な実施形態の上面図である。
【図４Ｂ】クラムシェル型ギプスの代表的な実施形態の上面図である。
【図４Ｃ】クラムシェル型ギプスの代表的な実施形態の上面図である。
【図４Ｄ】クラムシェル型ギプスの代表的な実施形態の上面図である。
【図４Ｅ】クラムシェル型ギプスの代表的な実施形態の斜視図である。
【図５Ａ】組み付けられた位置におけるクラムシェル型ギプスの代表的な実施形態の側面図である。
【図５Ｂ】組み付けられた位置におけるクラムシェル型ギプスの代表的な実施形態の側面図である。
【図５Ｃ】組み付けられた位置におけるクラムシェル型ギプスの代表的な実施形態の側面図である。
【図６Ａ】クラムシェル型ギプスの代表的な実施形態の分解上面図である。
【図６Ｂ】クラムシェル型ギプスの代表的な実施形態の上面図である。
【図６Ｃ】クラムシェル型ギプスの代表的な実施形態の分解上面図である。
【図７Ａ】クラムシェル型ギプスの代表的な実施形態の上面図である。
【図７Ｂ】患者に配置されたクラムシェル型ギプスの代表的な実施形態の側面図である。
【図７Ｃ】クラムシェル型ギプスの代表的な実施形態の分解上面図である。
【図８】クラムシェル型ギプスの代表的な実施形態を示す側面図である。
【図９Ａ】足支持体の代表的な実施形態の斜視図である。
【図９Ｂ】代表的な実施形態による足支持体の斜視図であり、足支持体は免荷穴を画定する。
【図９Ｃ】足支持体の代表的な実施形態の側面図である。
【図９Ｄ】足支持体の代表的な実施形態の斜視図である。
【図９Ｅ】足支持体の代表的な実施形態を示す側面図である。
【図９Ｆ】足支持体の代表的な実施形態の斜視図である。
【図９Ｇ】代表的な実施形態による足支持体の側断面図である。
【図９Ｈ】代表的な実施形態の足支持体に配置された足の側面図である。
【図９Ｉ】代表的な実施形態による複数の小孔線部を含む足支持体の斜視図である。
【図９Ｊ】代表的な実施形態の足支持体に配置された足を示す上面図である。
【図９Ｋ】足支持体の代表的な実施形態を示す上面図である。
【図９Ｌ】足支持体の代表的な実施形態を示す上面図である。
【図９Ｍ】足支持体の代表的な実施形態の上面図である。
【図９Ｎ】足支持体の代表的な実施形態の側面図である。
【図９Ｏ】足支持体の代表的な実施形態の側面図であり、足支持体は、代表的な実施形態のギプス歩行具として用いられるように構成されている。
【図９Ｐ】免荷穴を画定する足支持体の斜視図である。
【図９Ｑ】足支持体の代表的な実施形態を示す側面図である。
【図１０Ａ】整形外科用ギプスシステムの代表的な実施形態の断面図である。
【図１０Ｂ】圧迫靴下の代表的な実施形態の平面図である。
【図１０Ｃ】パッド靴下の代表的な実施形態の平面図である。
【図１０Ｄ】クラムシェル型ギプスの代表的な実施形態の平面図である。
【図１０Ｅ】クラムシェル型ギプスの代表的な実施形態の平面図である。
【図１０Ｆ】クラムシェル型ギプスの代表的な実施形態の平面図である。
【図１０Ｇ】付加的なパッドの片の代表的な実施形態の平面図である。
【図１１Ａ】付加的なパッドを含むギプス下張りの代表的な実施形態の側面図である。
【図１１Ｂ】付加的なパッドを含むギプス下張りの代表的な実施形態の側面図である。
【図１１Ｃ】付加的なパッドを含むギプス下張りの代表的な実施形態の側面図である。
【図１１Ｄ】ギプス下張りの代表的な実施形態を示す断面図である。
【図１２Ａ】足プレートの代表的な実施形態の上面図である。
【図１２Ｂ】足プレートの代表的な実施形態の側面図である。
【図１２Ｃ】足プレートの代表的な実施形態の側面図である。
【図１２Ｄ】足プレートの代表的な実施形態の側面図である。
【図１２Ｅ】代表的な実施形態によるギプスに取り付けられている足プレートの側面図である。
【図１２Ｆ】足プレートの代表的な実施形態の側面図である。
【図１２Ｇ】代表的な実施形態によるギプスに取り付けられている足プレートの側面図である。
【図１２Ｈ】本発明の幾つかの実施形態による足プレートの正面図である。
【図１２Ｉ】ブーツの代表的な実施形態の側面図である。
【図１２Ｊ】ブーツの代表的な実施形態の正面図である。
【図１２Ｋ】ブーツの代表的な実施形態の側面図である。
【図１２Ｌ】ブーツの代表的な実施形態の側面図である。
【図１２Ｍ】ブーツフラップの代表的な実施形態の側面図である。
【図１２Ｎ】ブーツフラップの代表的な実施形態の側面図である。
【図１２Ｏ】ブーツフラップの代表的な実施形態の側面図である。
【図１２Ｐ】ブーツの代表的な実施形態の上面図である。
【図１２Ｑ】本発明の幾つかの実施形態による、足プレートが靴に取り付けられている側面図である。
【図１３】ギプスシステムを適用する方法の代表的な実施形態を示す図である。
【図１４Ａ】本発明の幾つかの実施形態による、適用プロセスにおける異なる時点の代表的なギプスシステムの図である。
【図１４Ｂ】本発明の幾つかの実施形態による、適用プロセスにおける異なる時点の代表的なギプスシステムの図である。
【図１４Ｃ】本発明の幾つかの実施形態による、適用プロセスにおける異なる時点の代表的なギプスシステムの図である。
【図１４Ｄ】本発明の幾つかの実施形態による、適用プロセスにおける異なる時点の代表的なギプスシステムの図である。
【図１４Ｅ】本発明の幾つかの実施形態による、適用プロセスにおける異なる時点の代表的なギプスシステムの図である。
【図１４Ｆ】本発明の幾つかの実施形態による、適用プロセスにおける異なる時点の代表的なギプスシステムの図である。
【発明を実施するための形態】
【００２１】
本発明は、整形外科用ギプスに関する。特に、本発明の幾つかの実施態様は、脚又は足等の付属器官の治療において用いることができる全面接触ギプスシステムの１つ又は複数の構成要素に関する。実際には、幾つかの実施態様では、記載されるギプスシステムは、患者の足の創傷から重みを免荷しながら、患者の足及び脚を支持するように構成されている。これに関して、創傷という用語は、本明細書では、痛む部位、潰瘍、傷口、切開部、裂傷、刺し傷、膿疱、植皮、皮膚又は肉の縫合された部分、打撲、腫物、挫傷、骨折、並びに／又は、記載されるギプスシステムの１つ又は複数の構成要素によって覆われ、免荷され、衝撃を和らげられ、保護され、及び／若しくは、別様に治療されることができる任意の他の適した負傷を指すように用いることができる。
【００２２】
本開示及び特許請求の範囲において、下腿という用語（及びその変化形）は、患者の膝の遠位に位置する患者の脚の任意の部分を指すのに用いることができる。
硬化性ギプス材料という用語（及びその変化形）は、本明細書では、患者に適用されるときに柔軟かつ成形可能であるように構成されており、整形外科用ギプスとして機能するように容易に硬化することができる好適な既知の又は新規の材料を指すのに用いることができる。
【００２３】
患者及び個人という用語（並びにその変化形）は、本明細書では、記載のギプスシステムのいずれかの及び／又は全ての部分を装着するか又は使用することができる任意の人又は他の被験者を指すのに用いることができる。
【００２４】
靴下という用語（及びその変化形）は、本明細書では、靴下、ストッキネット、スリーブ、シース、ケーシング、カバー、筒、ラップ、及び／又は、同様の物体を指すのに用いることができる。
【００２５】
全面接触ギプスという用語は、本明細書では、患者の脚からの重みを、患者の足の裏の典型的な接触面積よりも大きい表面積にわたって広げるように、患者の下腿の一部に実質的に合致する形状を有する整形外科用ギプスを指すのに用いることができる。
【００２６】
記載される整形外科用ギプスシステムは、人の身体の創傷部分を覆って保護することを可能にする任意の好適な構成要素又は特徴を含むことができるが、図１Ａは、整形外科用ギプスシステム１０の代表的な実施形態を示している。より具体的には、図１Ｂ及び図１Ｃは、ギプスシステム１０が、それぞれ互いに及び／又は足プレート若しくはブーツ（図１Ａに示されているブーツ１８等）と独立して又は関連して用いることができるクラムシェル型ギプス１２、足支持体１４及びギプス下張り１６を含む幾つかの実施形態を示している。記載される整形外科用ギプスシステム及びその種々の構成要素のより良い理解を提供するために、以下の開示を、５つの小見出し、すなわち、「クラムシェル型ギプス」、「足支持体」、「ギプス下張り」、「足プレート／ブーツ」及び「関連する方法」に分類する。これに関して、小見出しの使用は専ら読み手の便宜のためであり、決して限定として解釈されるべきではない。
【００２７】
クラムシェル型ギプス
ギプス１２に関して、ギプスは、患者の付属器官（例えば下腿）の第１の表面にわたって、付属器官の端にわたって、及び、第１の表面とは実質的に反対側の、付属器官の第２の表面にわたって延びることを可能にする任意の好適な特徴を含むことができる。実際には、少なくとも幾つかの実施形態では、ギプスの第１の部分が付属器官の第１の表面を覆うように構成されており、ギプスの第２の部分が、付属器官の第１の表面とは実質的に反対側の、付属器官の第２の表面を覆うように構成されている（したがって、付属器官（又は別の好適な身体部分）をギプスの２つの部分の間で挟む）ため、ギプスはクラムシェル型ギプスと呼ばれることがある。
【００２８】
ギプス１２は、本明細書において記載されるように機能することを可能にする任意の好適な構成要素を含むことができるが、図２Ａ及び図２Ｂは、ギプス１２が硬化性ギプス材料１８の長尺片（又は長尺ギプス材料１８）を含む幾つかの実施形態を示している。長尺ギプス材料は任意の好適な構成要素を有することができるが、図２Ａ及び図２Ｂは、幾つかの実施形態において、ギプス材料１８が、患者の下腿２４の後方部分２２（例えば脹脛）にわたって延びるように構成されている第１の部分２０；患者の踵２８にわたって延びるとともに患者の足３２の裏３０の長さにわたって延びるように構成されている第２の部分２６；及び、患者の足の前方端（例えばつま先３６）にわたって延び、患者の足背部分３８を横切り、患者の下腿２４の前方部分４０（例えばすね）にわたって上に延びるように構成されている第３の部分３４を有することを示している。
【００２９】
クラムシェル型ギプス１２は、ギプスが、ギプスの適用中に付属器官（例えば下腿２４）の形状に実質的に合致し、次に、整形外科用ギプスを形成するようにその形状で硬化することを可能にする任意の好適な硬化性ギプス材料を含むことができる。これに関して、付属器官の形状に実質的に合致することによって、ギプスは、重みを、付属器官の一部（例えば足３２の裏３０）から付属器官のより大きい部分に広げることに役立つことができる。換言すると、幾つかの実施形態では、ギプス自体は、その患者が足の創傷から重みを免荷し、そのような重みを患者の下腿の他の部分に広げることを可能にする。
【００３０】
硬化性ギプス材料の幾つかの例としては、限定はされないが、任意の既知の又は新規のかつ好適な：ガラス繊維ギプス材料（例えば、ポリウレタン及び／又は別の好適な材料が含浸されたガラス繊維；銀、銅、ニッケル、ヨウ素、竹、及び／若しくは、別の好適な抗菌材料及び／若しくは防臭材料でコーティングされ、並びに／又は、これらを別様に含むガラス繊維；任意の他の好適な種類のガラス繊維ギプス；並びに／又は、それらの組み合わせ）、硬化性の包帯（例えば、石膏でコーティングされる綿包帯、石膏で覆われるポリエステル包帯、適用後に硬化するように構成されている任意の他の好適なギプス材料、熱可塑性ギプス材料等）、ポリプロピレンギプス材料、炭素繊維ギプス材料、硬化性抗菌材料（例えば、石膏又は別の好適な硬化性材料カバー；竹布、竹レーヨン、竹から作られるポリエステル、竹を含む別の生地、銀コーティング生地（例えば、銀コーティングポリ（エチレンテレフタレート）、銀コーティングレーヨン、銀コーティングポリエステル等）、銅コーティング生地、銀／銅コーティング生地、銀／銅／ニッケルコーティング生地、銀／銅／錫コーティング生地、ヨウ素配合布、並びに／又は、１つ又は複数の抗菌及び／若しくは防臭特徴を有する任意の他の好適な材料）、任意の好適な抗菌剤、殺菌剤、並びに／又は、限定はされないが、ペニシリン、アミカシン、ゲンタマイシン、カナマイシン、ネチルマイシン、トブラマイシン、ストレプトマイシン、スペクチノマイシン、ゲルダナマイシン、ハービマイシン、リファキシミン、エルタペネム、ドリペネム、イミペネム、メロペネム、デファドロキシル、セファゾリン、セファロチン、セファレキシン、及び／若しくは、任意の他の好適な抗菌剤）を含み得る他の抗菌成分で含浸され、及び／又は、これらを別様に含むギプス材料（例えば、ガラス繊維、綿包帯、及び／若しくは、任意の他の好適なギプス材料）、ギプステープ、並びに／又は、患者の身体の一部（例えば患者の脚及び足）の周りで形成され、次に整形外科用ギプスを形成するように硬化されるよう構成されている任意の他の好適な材料が挙げられる。実際には、幾つかの実施形態では、硬化性ギプス材料は、空気及び／又は水に曝露されると硬化し始めるように構成されている既知の又は新規のガラス繊維ギプス材料を含む。
【００３１】
ギプス１２の一部（例えば第１の部分２０）が、付属器官の第１の表面（例えば脹脛）にわたって延びるように構成されており、ギプスの別の部分（例えば第３の部分３４）が、付属器官の第２の、実質的に反対側の部分（例えばすね）にわたって延びるように構成されている場合、ギプスの種々の部分を、ギプスを全面接触ギプスとして機能することを可能にする任意の好適な方法で互いに取り付けることができる。幾つかの実施形態では、ギプスの種々の部分は、１つ又は複数のウイング、ギプスの他の部分に重なるように構成されているギプスの部分、ストラップ、ベルト、紐、バンド、ギプス材料の片、機械的係合、非機械的係合、締結具、摩擦係合、フックアンドループ締結具、スナップ、バックル、スライド、結合ヒンジ、可撓性部分、及び／又は、任意の他の好適なコネクタの使用によって、互いに及び／又は付属器官（例えば下腿）に取り付けられる。非限定的な実例として、図２Ｂは、点線４２がギプス１２の種々の部分（すなわちウイング４４）の重なりを示す実施形態を示している。さらに（図面を僅かにとばして）、図４Ｅは、幾つかの実施形態において、ギプス１２の１つ又は複数のストラップ４８及び５０が、締結具１１３（例えばフックアンドループ締結具）によって互いに及び／又はギプス１２の一部に取り付けられるように構成されていることを示している。
【００３２】
ギプス１２がウイング４４を含む実施形態では、ウイングは任意の好適な機能を果たすことができる。実際には、幾つかの例では、ウイングは、ギプスの少なくとも１つの部分を、ギプスの少なくとも１つの他の部分に取り付け、及び／又は、患者の付属器官の一部（例えば下腿２４）を受け、圧力を、患者の付属器官の一部（例えば下腿２４）にわたって分散させるように構成されている。
【００３３】
ギプス１２は、長尺ギプス材料１８の少なくとも１つの外側縁から横方向に、又はそこを越えて延びる、任意の好適な数のウイング４４（例えば１個、２個、３個、４個、５個、６個又はそれ以上）を含むことができる。例えば、図２Ａに戻ると、その図は、ギプス１２が、長尺ギプス材料１８の一部の外側縁４６を越えて（ギプスの両側で）横方向にそれぞれ延びる４つのウイング４４を含む実施形態を示している。
【００３４】
ギプス１２が１つ又は複数のウイング４４を含む場合、ウイングは、ウイングの一部が、（例えばギプスが患者において硬化される前に）長尺ギプス材料１８の外側縁４６を越えて横方向に延びることを可能にする任意の好適な位置に配置されることができる。好適な位置の幾つかの例としては、限定はされないが、長尺ギプス材料の第１の部分２０、第２の部分２６及び／又は第３の部分３４の両側（例えば右側及び／又は左側）が挙げられる。非限定的な実例として、図２Ａ、図２Ｃ及び図２Ｄは、複数のウイング４４が長尺ギプス材料１８の第１の部分２０及び第３の部分３４の双方の（右側及び左側の双方において）外側縁４６を越えて延びる幾つかの実施形態を示している。
【００３５】
ギプス１２が１つ又は複数のウイング４４を含む場合、ウイングは、本明細書において記載されるように働くことを可能にする任意の好適な形状を有することができる。好適なウイング形状の幾つかの例としては、限定はされないが、（例えば図２Ａに示されているような）羽根又はフィン形状、（例えば図２Ｃ及び図２Ｄに示されているような）矩形又は四辺形形状、（例えば図２Ｅに示されているような）台形形状、多角形形状、三角形形状、卵形形状、不規則形状、及び／又は、ウイングが意図される通りに機能することを可能にする任意の他の形状が挙げられる。
【００３６】
ウイング４４はまた、ウイング４４が意図される通りに機能することを可能にする任意の好適な長さ（又は幅）であるものとすることができる。幾つかの実施形態では、１つ又は複数のウイングは、別のウイング及び長尺ギプス材料１８の一部のうちの少なくとも一方に重なるように構成されている。例えば、図３Ａは、ギプス１２の第１の部分２０からの長尺ギプス材料１８及びウイング４４が、ギプスが所望のサイズの下腿２４に装着されたときに長尺ギプス材料又は別のウイングに重なるように必ずしも構成されない実施形態を示している。対照的に、図３Ｂは、長尺ギプス材料１８及び／又はウイング４４が、所望のサイズの下腿２４に装着されたときに別のウイング及び長尺ギプス材料のうちの少なくとも一方に重なるように構成されている実施形態を示している。具体的には、図３Ｂは、少なくとも１つのウイング４４が別のウイング４４に重なる実施形態を示している。
【００３７】
ギプス１２がストラップを含む場合、ギプスは、１個、２個、３個、４個、５個、６個、７個、８個、９個、１０個、１１個、１２個以上を含む、任意の好適な数のストラップを含むことができる。さらに、ストラップは、任意の好適な位置に配置することができる（例えば、第１の部分２０、第２の部分２６及び／又は第３の部分３４のいずれか若しくは双方の外側から延びる）。これに関して、図４Ａ〜図４Ｃは、ギプス１２が、長尺ギプス材料１８の第２の部分２６に配置される１つ又は複数の足ストラップ５０とともに長尺ギプス材料１８の第１の部分２０に配置される１つ又は複数のストラップ４８を含む種々の実施形態を示している。さらに、図４Ｃは、少なくとも幾つかの実施形態において、ギプス１２が、長尺ギプス材料１８の第３の部分３４に配置される１つ又は複数のストラップ４８を含むことを示している。さらに、ストラップは互いに重なることができ、互いから隔てられることができ、及び／又は、互いに任意の他の好適な関係を有することができるが、図４Ａ〜図４Ｃは、幾つかの実施形態において、ストラップ４８及び／又は５０を、ギプス１２が意図された通りに機能することを可能にする、互いから離れた任意の好適な距離に配置することができることを示している。
【００３８】
ストラップ４８は、任意の好適な形状（例えば、矩形、ベルト形状、三角形、円形、多角形、不規則、対称、非対称、リボン状、紐状、ロープ状、及び／又は、任意の他の好適な形状）を有することができるが、図４Ｂは、ストラップ４８のうちの少なくとも幾つかが実質的に矩形である実施形態を示している。これに関して、ストラップの端は任意の好適な形状（例えば、尖っている、円形、多角形、不規則、三角形、台形、テーパ状等）であるものとすることができるが、図４Ｃは、ストラップ端５２が実質的に台形の形状である代表的な実施形態を示している。
【００３９】
ギプス１２が１つ又は複数のストラップ４８を含む場合、ストラップは、ギプスを、付属器官（例えば下腿２４）、及び／又は、任意の他の好適な身体部分に任意の好適な方法で固定するように構成することができる。例えば、図５Ａは、１つ又は複数のストラップ４８がギプス１２の一部を囲むように構成されている実施形態を示している。さらに、図５Ｂは、ストラップ４８のうちの少なくとも幾つかがギプス１２の一部の周りに部分的にのみ延びるように構成されている実施形態を示している。さらに、図５Ｃは、幾つかの実施形態において、複数のストラップ４８が（例えば、ストラップを、長尺ギプス材料１８の一部にわたって角度を付けることによって）互いに噛み合うように構成されていることを示している。さらに、ストラップは（例えば図４Ｃに示されているように）長尺ギプス材料１８の長さ（すなわち長手方向軸）に対して実質的に垂直に延びることができるが、幾つかの実施形態では、ストラップは、長尺ギプス材料の長さに対して或る角度で（例えば斜め及び／又は鈍角で）延びるように構成されている。幾つかの実施形態では、ストラップは、長尺ギプス材料の長さに対して垂直に（及び／又は別の好適な角度で）巻き付けられるように構成されているため、この「交差ストラップ留め」によって、ギプスを付属器官に固定するとともにギプスの強度をかなり高める。
【００４０】
ストラップ４８及びウイング４４は、ギプス１２が意図された通りに機能することを可能にする任意の好適な材料から作ることができる。そのような材料の幾つかの例としては、限定はされないが、１つ又は複数の硬化性ギプス材料、生地、フックアンドループ締結具を含む材料、及び／又は、任意の他の好適な材料が挙げられる。しかし、幾つかの実施形態では、ストラップ及び／又はウイングは、硬化性ギプス材料（例えば、ポリウレタンが含浸されたガラス繊維、及び／又は、ガラス繊維ギプス材料とともに用いられるように構成されている任意の他の新たな若しくは新規の硬化性材料）を含む。
【００４１】
ギプス１２が、１つ又は複数のストラップ４８、ウイング５２及び／又は任意の他の好適なコネクタを含む場合、そのような構成要素は、長尺ギプス材料１８の任意の好適な部分（例えば、第１の長さ２０、第２の長さ２６、第３の長さ３４、及び／又は、任意の他の好適な部分）に、任意の好適な方法で取り付けることができる。これに関して、１つ又は複数のコネクタ（例えばストラップ及び／又はウイング）をギプスに取り付ける好適な方法の幾つかの例としては、限定はされないが、ギプス及びコネクタ（複数の場合もあり）を一緒に形成することによって；材料の同じ片及び／若しくは複数の片のギプス及びコネクタ（複数の場合もあり）を形成することによって；１つ又は複数の接着剤、テープ、種々の縫い付け、機械的締結具、非機械的締結具、摩擦締結具等によって；コネクタ（複数の場合もあり）をギプスに締め付けることによって；コネクタ（複数の場合もあり）をギプスの一部の周りに巻き付けることによって；コネクタ（複数の場合もあり）をギプスの１つ又は複数のループに通すことによって；並びに／又は、任意の他の好適な方法で、そのようなコネクタをギプスに取り付けることが挙げられる。実際には、図６Ａは、幾つかの実施形態において、ストラップ材料５４の１つ又は複数の片が長尺ギプス材料１８の２つ以上の層５６間に挿入されることを示している。対照的に、図６Ｂは、ストラップ４８を、縫い付け５８及び／又は１つ又は複数の他の好適な方法によって長尺ギプス材料に取り付けることができることを示している。更に別の例では、図６Ｃは、幾つかの実施形態において、ストラップ材料５４の１つ又は複数の片が、長尺ギプス材料１８の１つ又は複数の層５６の上部に配置され、（例えば縫い付け及び／又は任意の他の好適な方法によって）接着されるか又は別様に取り付けられることを示している。
【００４２】
ギプス１２の種々の構成要素（例えば、長尺ギプス材料１８、ウイング４４及び／又はストラップ４８）は、任意の好適なサイズであるものとすることができる。実際には、長尺ギプス材料は、任意の好適な幅であるものとすることができるが、幾つかの実施形態では、約４ｃｍ〜約４０ｃｍであるか、又は、その任意のサブ範囲（例えば約１５ｃｍ〜約２０ｃｍ）の幅（例えば図６Ｂに示されているような幅Ｗ）を有する。さらに、長尺ギプス材料は、任意の好適な長さ（例えば図６Ｂに示されているような長さＬ）であるものとすることができるが、幾つかの実施形態では、約５０ｃｍ〜約２５５ｃｍ、又は、その任意のサブ範囲（例えば約１２７ｃｍ〜約１５８ｃｍ）の長さを有する。その上、ストラップは、任意の好適な幅（例えば図６Ｂに示されているようなストラップ幅ＳＷ）であるものとすることができるが、幾つかの実施形態では、ストラップは、約０．５ｃｍ〜約３５ｃｍ、又は、その任意のサブ範囲（例えば約５ｃｍ〜約１３ｃｍ）の幅を有する。さらに、ストラップは、任意の好適な長さ（例えば図６Ｂに示されているようなストラップ長さＳＬ）であるものとすることができるが、幾つかの実施形態では、ストラップは、約２０ｃｍ〜約９０ｃｍ、又は、その任意のサブ範囲（例えば約３５ｃｍ〜約７６ｃｍ）の長さを有する。
【００４３】
ギプス１２の種々の構成要素は任意の好適な厚さを有することもできる。実際には、幾つかの実施形態では、長尺ギプス材料１８、ストラップ４８及びウイング４４は、約１ｍｍ〜約３ｃｍ厚である。他の実施形態では、ギプスの種々の構成要素は、上述した範囲の任意の好適なサブ範囲に入る厚さ（例えば、約２ｍｍ〜約４ｍｍ厚）を有する。その上、幾つかの実施形態では、ウイング及び／又はストラップは、実質的に、長尺ギプス材料の厚さ以上の厚さを有するが、他の実施形態では、ウイング及び／又はストラップは、長尺ギプス材料の厚さよりも薄い厚さを有する。実際には、幾つかの実施形態では、ウイング及び／又はストラップは、長尺ギプス材料の厚さの約１％〜約９９％、又は、そのような範囲の任意のサブ範囲（例えば、約２０％〜約７０％又は約４０％〜約６０％）の厚さを有する。
【００４４】
ギプス１２の種々の構成要素は、硬化性ギプス材料の任意の好適な数の層を含むことができる。実際には、幾つかの実施形態では、種々のギプス構成要素（例えば、長尺ギプス材料１８、ウイング４４及び／又はストラップ４８）は、約１層〜約３０層の硬化性ギプス材料（例えばガラス繊維編物）を含む。他の実施形態では、種々の構成要素は、約２層〜約１６層のギプス材料を含む。更に他の実施形態では、種々の構成要素は、上述した範囲のいずれかに入る任意の好適な数の層のギプス材料を含む。例えば、長尺ギプス材料１８の幾つかの実施形態は、約１２層〜約１７層（例えば１４層〜１６層）のギプス材料を含む。さらに、ストラップの幾つかの実施形態は、約３層〜約７層（例えば４層〜６層）のギプス材料を含む。
【００４５】
上述した特徴に加えて、クラムシェル型ギプス１２は、患者の身体の一部を保護及び／又は患者の身体の一部から重みを免荷することを可能にする任意の好適な方法で変更することができる。好適な変更形態の１つの例では、長尺ギプス材料１８の幾つかの実施形態は、１つ又は複数の位置（例えば、患者の踵、つま先等の周り）において（例えばギプスが硬化する前に）比較的容易に曲がることを可能にする１つ又は複数の特徴を含む。これに関して、ギプスは、長尺ギプス材料が付属器官に合致するように曲がることが意図される位置に、限定はされないが、１つ又は複数の切れ目、ノッチ、小孔線部、ミシン目入り部分、予め折り目を付けた折り線、ヒンジ、薄化部分、及び／又は、他の同様の特徴（本願では折り曲げ調節部と称される場合がある）を含めることを含む任意の好適な方法で曲がるように構成することができる。実例として、図７Ａは、長尺ギプス材料１８が、患者の踵２８の周りで曲がるように構成されている位置において長尺ギプス材料に延びる少なくとも１つのノッチ６０を含む実施形態を示している。別の例では、図４Ｂは、長尺ギプス材料１８が患者の踵及びつま先の周りで曲がるように構成されている、長尺ギプス材料の中心に向かって延びる１つ又は複数の切れ目６２をギプス１２が含む実施形態を示している。
【００４６】
任意選択的な変更形態の別の例では、ギプス１２の幾つかの実施形態は、１つ又は複数の穴（例えば、通気を提供する穴、及び／又は、医療用チューブの穴；まとめて及び個々に通気穴又は穴と称される）を画定する。これに関して、ギプスは、任意の好適な数の通気穴を画定することができ、穴は任意の好適なサイズであるものとすることができ、穴は任意の好適な位置に配置することができる。１つの例では、ギプスは１個〜１００００個の穴、又は、その範囲内に入る任意の好適な数の穴（例えば１個〜２００個）を含む。
【００４７】
ギプス１２の通気穴は、ギプスが所望の剛性を維持することを可能にしながらも、空気及び／又は医療用チューブ（例えば陰圧閉鎖療法若しくは別の好適な目的の）がギプス材料を通ることを可能にする任意の好適なサイズであるものとすることができるが、幾つかの実施形態では、穴は、約１ｍｍ〜約２０ｃｍの内径又は幅を有する。他の実施形態では、ギプスは、約０．３ｃｍ〜約３ｃｍの内径又は幅を有する１つ又は複数の穴を画定する。更に他の実施形態では、ギプスは、上述した範囲の任意の好適なサブ範囲（例えば約０．４ｃｍ〜約２ｃｍ）の１つ又は複数の穴を画定する。
【００４８】
通気穴はギプス１２の任意の好適な位置（例えば、ギプス材料１８の長尺片、１つ又は複数のウイング４４、１つ又は複数のストラップ４８、及び／又は、任意の他の好適な位置）に配置することができるが、幾つかの実施形態では、穴は、脹脛、足の裏、足背部分、踵、すね及び／若しくは付属器官の他の部分への通気並びに／又は医療用チューブのアクセスを提供するように、ギプスに配置されるように構成されている。実例として、図７Ａ及び図７Ｂは、ギプス１２が、ギプス１２の脹脛セクション６６、足背セクション６８及びすねセクション７０に通気穴６４を含む幾つかの実施形態を示している。
【００４９】
好適な変更形態の別の例では、ギプス１２の幾つかの実施形態は、１つ又は複数の補強部分を含むか又は１つ又は複数の補強部分を含むように構成されている。そのような実施形態では、ギプスの任意の好適な部分（例えば、つま先、足、足首、脹脛、近位部分等）を補強することができる。非限定的な実例として、図７Ａ及び図７Ｂは、ギプス１２の足首部分７２が補強部７４を含む幾つかの実施形態を示している。しかし、いずれの場合も、ギプスの部分の補強は任意の好適な方法で提供することができる。実際には、１つの例では、ギプスを付属器官に配置した後に、ストラップ、リボン、タイ及び／又はベルトを、ギプスの１つ又は複数の部分に配置する。別の例では、ギプスを付属器官に配置した後に、ギプス材料が所望の位置でギプスの周りに巻き付けられる。更に別の例では、（図７Ｂ及び図７Ｃに示されているような）ギプス材料の付加的な層７６を、（例えばギプスを患者に嵌める前後に）長尺ギプス材料１８の長さに沿う所望の位置に配置することによって、１つ又は複数の補強部がギプスに加えられる。
【００５０】
（図示されていない）好適な変更形態の別の例では、長尺ギプス材料１８は、（例えば図７Ｂに示されているように）患者のすね及び脹脛にわたって直接的に延びるように構成される代わりに、患者の下腿の外側部分を下に延び、患者の足の一部（例えば踵２８及び／又は別の好適な部分）にわたって包み、患者の下腿の内側部分にわたって上に延びて戻る（又は逆もまた同様）ように構成されている。
【００５１】
（図示されていない）好適な変更形態の更に別の例では、ギプス１２は、患者の１つ又は複数の他の付属器官（例えば、腕、指、胴等）にわたって延びるように構成されている。実際には、幾つかの実施形態では、ギプスは、患者の前腕の後方部分にわたって延び、患者の手の遠位端にわたって（例えば、患者の指の遠位端にわたって、及び／又は、患者の指のうちの１つ又は複数がギプス材料の対応する穴（単数又は複数）を通って延びた状態で）包み、患者の前腕の前方部分にわたって延びるように構成されている。
【００５２】
好適な変更形態のまた別の例では、幾つかの実施形態において、長尺ギプス材料１８は、患者の下腿に適用される前に、予め成形されたブーツ内に（少なくとも部分的に）形成される。幾つかのそのような実施形態では、長尺ギプス材料は、患者の下腿の形状に合致するように（例えば、熱、水、溶媒及び／又は他の好適な要素若しくはプロセスの適用によって）軟化することができ、次に、硬化して整形外科用ギプスを形成することができる硬化性ギプス材料（例えば、熱可塑性ギプス材料、石膏ギプス材料、ガラス繊維ギプス材料等）を含む。
【００５３】
好適な変更形態の更なる別の例では、長尺ギプス材料の幾つかの実施形態は、付属器官の第１の表面（例えば脹脛）から、付属器官の端（例えば踵）の周りに、また、第１の表面とは実質的に反対側の、付属器官の第２の表面（例えばすね）にわたって延びる単一の連続的な材料ストリップを含むが、ギプスの幾つかの実施形態は、付属器官の反対側の表面にわたって（例えば、脹脛及びすね、前腕の前方部分及び後方部分等にわたって）成形及び／又は硬化されるように構成されている２つ以上の別個の片を含む。実例として、図８は、ギプス１２が、少なくとも１つのストラップ４８によって接合される硬化性ギプス材料の第１の部分８０及び第２の部分８２を含む添え木７８を含む実施形態を示している。これに関して、図８は、幾つかの実施形態において、ギプス材料の第１の部分８０及び第２の部分８２が互いに当接することを示しているが、（図３Ａ及び図３Ｂに関する上記の説明と同様の）幾つかの他の実施形態では、ギプス材料の第１の部分及び／又は第２の部分は、所望の付属器官に配置されると互いに重なる（又は互いに重なる手前で終わる）。さらに、図８は、添え木が別個の第１の部分８０及び第２の部分８２を含む実施形態を示しているが、添え木は、限定はされないが、１個、２個、３個、４個、５個、６個又はそれ以上を含む、任意の好適な数の片を含むことができる。実際には、幾つかの実施形態では、添え木は、長尺ギプス材料の単一の片を含み、１つ又は複数のウイング、ストラップ、及び／又は、ギプス材料の部分は、付属器官に適用されるときに長尺ギプス材料の別の部分に重なり、及び／又は、重なるように構成されている。
【００５４】
別の例では、記載されるギプス１２の幾つかの実施形態は、（例えば、足の裏等の付属器官の一部の周りに形成することができる）硬化性ギプス材料、並びに、予め成形されたギプスの一部を形成する別の材料（例えば、１つ又は複数のプラスチック、加硫ゴム、金属、ポリマー、木、セラミック、及び／又は、他の材料）の双方を含む。幾つかのそのような実施形態では、種々の材料を、限定はされないが、１つ又は複数のストラップ、ヒンジ、種々の縫い付け、機械的締結具、接着剤、テープ、摩擦係合及び／又は任意の他の好適なコネクタの使用を含む任意の好適な方法で互いに接続することができる。そのようなギプスは任意の好適な機能を果たすことができるが、幾つかの実施形態では、ギプスの予め成形された部分は、ギプスを患者に比較的迅速に配置することを可能にし、一方で、硬化性ギプス材料から形成される部分は、ギプスを患者にフィットさせるように調整し、それによって、重みをギプスの一部にわたって広げ、ギプスによって覆われる創傷から重みを免荷することを可能にする。
【００５５】
別の例では、ギプス１２は、ギプス歩行具；歩行ヒール；歩行台；歩行靴；ギプスの足部分にある１つ又は複数の補強部（例えば、金属、プラスチック、セラミック、木、ゴム、及び／又は、他の好適な材料の１つ又は複数の片）；整形外科用インサート；足プレート；ギプスブーツ、スリッパ、靴、サンダル、スライド、及び／若しくは、足プレートを含む他の履物；並びに／又は、患者がギプスで覆われる下腿で歩くことを可能にする任意の他の好適な構造を含む（又は別様にこれらとともに用いられる）ことができる。
【００５６】
別の例では、記載されるギプス１２は、履いて歩かれ、並びに／又は、（以下で説明するように）ブーツ１８、靴、及び／若しくは、足プレートを用いることなく別様に用いられるように構成されている。そのような実施形態では、ギプスは、限定はされないが、ギプスが使用中に破損し及び／若しくは過度に曲がることを防止するギプス材料、並びに／又は、十分な量のギプス材料によって作られることを含め、ブーツ、靴又は足プレートを用いることなく使用することを可能にする任意の好適な方法で構成することができる。他の実施形態では、上記で説明したように、ギプスは、ギプスの１つ又は複数の部分（例えば、足部分、足首部分等）に１つ又は複数の補強部を含む。
【００５７】
更なる別の例では、ギプス１２の幾つかの実施形態は、付属器官及びギプス自体に沿って螺旋状になるギプス材料の使用を含まない。しかし、幾つかの他の実施形態では、硬化性ギプス材料１８の長尺片を付属器官に適用した後で、硬化性ギプス材料（及び／又は任意の他の材料）が、ギプスの（全てではないにしても）一部の周りを螺旋状に包む。
【００５８】
また別の例では、ギプス１２は、本明細書では、（例えば、痛む部位、潰瘍、及び／又は、足の任意の他の適した創傷の治療に用いられる）全面接触ギプスとして用いるために記載されているが、ギプスは、任意の他の好適な目的で用いられるように変更することができる。実際には、幾つかの実施形態では、ギプスは、患者の膝を越えて患者の脚を上に延びるように構成されている。他の実施形態では、ギプスは、骨が治癒する間に、折れた及び／又は粉砕した骨とともに付属器官（例えば、脚、足、つま先、腕、手、指等）を保護するのに用いられる。更に他の実施形態では、ギプスは、ギプスを患者に迅速に適用する必要がある外傷状況において用いられるように構成されている。更に他の実施形態では、ギプスは：手術後の適用、骨折後の適用、浸軟組織の保護、非観血的整復、切開部のカバー、付属器官の固定、陰圧閉鎖療法、及び／又は、任意の他の好適な目的で用いられる。
【００５９】
好適な変更形態のまた別の例では、記載されるギプス１２のギプス材料（例えば、１つ又は複数の抗生物質、殺菌剤、銀、銅、ニッケル、ヨウ素及び／又は任意の他の好適な抗菌材料を含むギプス材料）の幾つかの実施形態を用いて、任意の好適な既知の若しくは新規のギプス、添え木、及び／又は、他の保護ギプスを作る。実際には、幾つかの実施形態では、１つ又は複数の抗菌材料を含む記載されるギプス材料を用いて、ガラス繊維、綿及び／又は別の好適な材料が身体部分の周りに巻き付けられてギプスを形成するように硬化される整形外科用ギプスを形成する。
【００６０】
記載されるクラムシェル型ギプス１２は、前述した特徴に加えて、幾つかの特徴部を有することができる。実際には、クラムシェル型ギプスの幾つかの実施形態は、付属器官の第１の表面に対して折り重なり、付属器官の端の周りに延び、次に、第１の表面とは実質的に反対側の、付属器官の第２の表面にわたって折り返されるように構成されているため、記載されるギプスの幾つかのそのような実施形態は、現在のギプス１２の長尺ギプス材料１８が付属器官の周りに螺旋状に巻き付けられないか若しくは包まず、又は、靴下、ストッキネット若しくはスリーブとして付属器官に対して巻かれないか若しくは嵌まらないという点で、幾つかの従来のギプスとは異なる。
【００６１】
別の例では、記載されるギプス１２の幾つかの実施形態は、付属器官の形状に実質的に合致するように構成されているため、幾つかのそのような実施形態は、付属器官にわたって圧力を広げ、それによって付属器官の創傷部分から重みを免荷するのに比較的効果的であるものとすることができる。
【００６２】
別の例では、記載されるギプス１２の幾つかの実施形態は、（例えば、つま先の側において、ギプスの側面に沿って、通気穴１０４を介して、編組されるか及び／又はギプス材料に別様に形成される開口等を介して）開口を有するため、記載されるギプスは、幾つかの競合するギプスよりも良好な通気を可能にすることができる。その結果、記載されるギプスの幾つかの実施形態は、幾つかの従来のギプスが可能であるよりも良好に湿気を管理することができる。したがって、記載されるギプスの幾つかの実施形態は、幾つかの従来のギプスが可能であるよりも、制御されない湿気（例えば浸軟、軟組織壊死等）に関連する問題をより良く低減することができる。
【００６３】
また別の例では、記載されるギプス１２の幾つかの実施形態は、ギプスを装着する患者が、歩行が依然として可能でありながらも、治癒する（例えば、足の創傷が治癒する）ことを可能にする。別の例では、記載されるギプスの幾つかの実施形態を装着することによって、患者は、意図的にそうしようとしなくても、足の創傷から過度の圧力を避けることが可能である。更なる別の例では、記載されるギプスの幾つかの実施形態は、患者のゲート（gate）の推進期を排除及び／若しくは短縮し、かつ／又は、患者の歩幅の長さを短縮させるように構成されており、したがって、患者が歩くときに創傷にかかり得るダメージを与える可能性がある力を低減する。
【００６４】
（上記で簡潔に述べた）更に別の例では、記載されるギプス１２の幾つかの実施形態は、（幾つかの従来の全面接触ギプスのように）ギプスが、付属器官の周りに螺旋状に巻き付けられるか、又は、スリーブ、靴下若しくはストッキネットのように付属器官を覆って嵌まるか若しくは巻かれることを必要としない。その結果、記載されるギプスの幾つかのそのような実施形態を、幾つかの従来の全面接触ギプスよりも迅速に適用することができる。その上、記載されるギプスの幾つかの実施形態は、患者が上半身を起こしているか又は別の快適な姿勢にある間に付属器官に適用することができるため、ギプスの幾つかの実施形態は、患者が腹ばいになるか又は別の不自然な姿勢に動くことを必要とする幾つかの従来の全面接触ギプスよりも簡便に適用することができる。
【００６５】
足支持体
足支持体１４に関して、足支持体は、足の創傷から少なくとも幾らかの重みを免荷し、及び／又は、足３２の一部にパッドを提供することを可能にする任意の好適な特徴又は構成要素を含むことができる矯正器具を含む。足支持体は任意の好適な位置に配置することができるが、幾つかの実施形態では、足支持体は、患者の足とギプスの内面（例えば、ギプス１２及び／又は任意の他の好適な既知の若しくは新規のギプス）との間に配置されるように構成されている。
【００６６】
足支持体１４は、限定はされないが、正方形、矩形、多角形、対称、不規則、円形、楕円形、足形、足の一部に合わせられる形状、足の一部の形状、及び／又は、その意図する機能を果たすことを可能にする任意の他の好適な形状を含む、任意の好適な形状であるものとすることができる。しかし、幾つかの実施形態では、図９Ａは、足支持体１４が四辺形形状を有することを示している。対照的に、図９Ｂは、幾つかの他の実施形態において、足支持体１４が細長い四辺形形状を有することを示している。
【００６７】
足支持体１４の縁は任意の好適な形状（例えば、直角に終端する、丸みを帯びている、面取りされている、テーパ状、羽根状等）を有することができるが、図９Ｂは、足支持体の縁８３の少なくとも幾らかが実質的に直角に終端する実施形態を示している。さらに、図９Ａ及び図９Ｃは、足支持体１４の縁８３に少なくとも部分的に斜角が付いている幾つかの実施形態を示している。そのような実施形態では、足支持体の縁には、任意の好適な角度（例えば、限定はされないが、約１°〜約８９°の角度、又は、その任意のサブ範囲内（例えば図９Ｃに示されているような約５０°〜約７０°）を含む角度θ）で斜角を付けることができる。
【００６８】
足支持体１４は、パッドを提供すること及び／又は患者の足の一部を別様に支持することを可能にする任意の好適な材料を含むことができる。これに関して、足支持体は、任意の好適なタイプのプラスチック、ポリマー、金属、セラミック、木、合成材料、天然材料、パッド、フォーム（foam）、制菌材料（例えば、１つ又は複数の竹材料、竹レーヨン、銀コーティングポリ（エチレンテレフタレート）、銀コーティングレーヨン、銀コーティングポリエステル、他の銀コーティング材料、ヨウ素配合材料、銅コーティング材料、銀／銅コーティング材料、銀／銅／ニッケルコーティング材料、銀／銅／錫コーティング材料等）、及び／又は、（例えば上記で説明したような）他の抗菌材料、並びに、その意図する目的を果たすことを可能にする他の好適な材料を含むことができる。足支持体は、パッドを含む場合、限定はされないが、独立気泡パッド、連続気泡パッド、ポリマーパッド（例えば、ポリプロピレン、ポリエチレン、ポリウレタン等）、ｐセルフォーム（p-cell foam）、ｘスタティックフォーム（x-static foam）、フェルト状フォーム、フォーム、ポリウレタンフォーム、シリコン、ゲル、綿、ビニル、ポリ塩化ビニル、エチレン酢酸ビニル、コルク、それらの組み合わせ、及び、任意の他の好適な材料を含む、事実上任意の好適なタイプのパッドを含むことができる。実際には、幾つかの実施形態では、パッド材料は、ｐセルフォーム及び／又はクレープフォームを含み、フォームのうちの少なくとも１つは任意選択的に、フェルト及び／又は別の好適な材料で覆われる。
【００６９】
足支持体１４の幾つかの実施形態は単一種又は単一層のパッド材料を含むが、他の実施形態では、足支持体は、複数のパッド材料（例えば、２個、３個、４個、５個又はそれ以上）を含む。そのような実施形態では、パッド材料は、（限定はされないが、パッド材料のうちの幾つかを足の特定の位置（例えば圧力点）に局在させること、及び／又は、種々のパッド材料を層にして配置することを含む）任意の好適な方法で配置することができる。これに関して、図９Ｃ及び図９Ｄは、足支持体１４が第１のパッド層８４を含む幾つかの実施形態を示している。対照的に、図９Ｅ〜図９Ｇは、足支持体１４が第１のパッド層８４及び第２のパッド層８６を含み、双方の層が、足支持体の、全てではないにしてもかなりの部分にわたって延びる幾つかの実施形態を示している。一方で、図９Ｆ及び図９Ｇは、足支持体１４が、免荷穴又は凹部９２（以下、穴又は免荷穴と称される）の周りに局在化される（例えばｐセルフォーム８８及び／又は別のフォーム９０の）１つ又は複数の付加的な層を有する第１のパッド層８４（例えばクレープパッド）を含む幾つかの実施形態を示している。
【００７０】
足支持体１４が複数の層のパッド材料を含む場合、種々のパッド層は任意の好適な特徴を有することができる。例えば、足支持体１４が複数の層のパッドを含む場合、種々の層は、限定はされないが、一体的に一緒に形成されることによって、接着剤によって、テープを用いて、フックアンドループ締結具によって、熱溶接によって、縫い付けによって、及び／又は、任意の他の好適な方法を含め、任意の好適な方法で接合することができる。
【００７１】
足支持体１４の種々の部分は、可鍛性、半可鍛性及び／又は非可鍛性であるものとすることができるが、幾つかの実施形態では、足支持体は可鍛性又は可撓性である。そのような実施形態では、足支持体（又はその一部）は、任意の好適なデュロメータ値を有することができる。例えば、足支持体の幾つかの実施形態は、足支持体の特定の用途に応じて、約５〜約１２０のデュロメータ値、又は、その任意の好適なサブ範囲内に入るデュロメータ値（例えば、約３０〜約６０のデュロメータ値）を有するパッド層を含む。
【００７２】
足支持体１４が複数の層のパッドを含む幾つかの任意選択的な実施形態では、種々のパッド層は、異なるデュロメータ値を有するパッドをそれぞれ含む。実際には、幾つかの実施形態では、第１のパッド層８４は第２のパッド層８６よりも柔らかいが、幾つかの好ましい実施形態では、第２のパッド層が第１のパッド層よりも柔らかい。これに関して、第１のパッド層のデュロメータ値と第２のパッド層のデュロメータ値との差は、限定はされないが、約６０未満の値、又は、その任意の好適なサブ範囲（例えば、約３０未満のデュロメータ値）を含め、任意の好適な量であるものとすることができる。例えば、足支持体の幾つかの実施形態は、約５５±１０のデュロメータ値を有する第１のパッド層、及び、約３０±１０のデュロメータ値を有する第２のパッド層を含む。幾つかのそのような実施形態では、第１の層は必要な支持を提供することができ、一方で、第２の層は、（例えば血流のための）パッド及び所望の快適レベルを提供する。さらに、足支持体１４が免荷足支持体（又は、免荷穴９２を画定する足支持体）を含む幾つかの実施形態では、パッド層（単数又は複数）のデュロメータ値（複数の場合もあり）は、足の創傷から重み／圧力を免荷する一方でそのような重みを患者の足の他の部分に分散させることに役立つように構成されている。
【００７３】
幾つかの実施形態では、足支持体１４は、患者のつま先のうちの１つ又は複数を覆い、衝撃を和らげ、及び／又は、ギプスシステム１０の一部（例えばギプス１２）に対して擦れて浸軟するか又は別様に負傷することから別様に保護するように構成されているつま先保護部を含む。つま先保護部は、その意図する目的を満たすことを可能にする任意の好適な形状を有することができるが、幾つかの実施形態では、丸みを帯びた端（例えば、その側面から見たときにＪ字形状の見た目を有する端）、箱形の端（例えば、底面、底面に対して実質的に直交して延びる端面、及び、端面に対して実質的に直交して延びる上面を有する端）、三角形の端、平坦な端（例えば、足支持体にＬ字形状の見た目を与える、足支持体の底面に対して実質的に直交して（又は別の好適な角度で）延びる実質的に平坦な面を有する端）、及び／又は、つま先保護部が、患者のつま先のうちの１つ又は複数の下に、つま先の遠位端にわたって（及び／若しくはその正面に）、かつ／又は、つま先のうちの１つ又は複数の足背部分にわたって延びることを可能にする任意の他の好適な形状を含む。実際には、図９Ｇ及び図９Ｈは、つま先保護部９４が実質的にＪ字形状の端９６を有する幾つかの実施形態を示している。
【００７４】
幾つかの実施形態では、つま先保護部９４の形状は実質的に弾性的であり、それによって、つま先保護部の形状（例えばＪ字形状の見た目）は、つま先保護部の静止時、すなわち（言い換えると）つま先保護部の形状が、外力又は靴下、ギプス、下張り、テープ、バンド、ストラップ、タイ等の物体によって保持されないときに保持される。換言すると、幾つかの実施形態では、つま先保護部は、記載されるギプスシステム１０の全ての他の構成要素から分離される場合であっても、その形状を維持するように作製される。
【００７５】
つま先保護部９４は、その意図される目的を満たし、その形状を弾性的に保持することを可能にする任意の好適な方法で形成することができるが、幾つかの実施形態では、つま先保護部の形状（例えば、弾性的なＪ字形状、Ｌ字形状等）は、加熱プロセス（例えば、ホットカールアイロンによってつま先保護部の形状を形成すること、足支持体を熱の適用によって所望の形状に押圧すること等）、成形プロセス、押出プロセス及び／又は任意の他の好適なプロセスによって足支持体に形成される。
【００７６】
幾つかの実施形態では、つま先保護部９４の形状は剛性又は半剛性である。そのような実施形態では、つま先保護部は、任意の好適な材料（例えば、１つ又は複数の剛性又は半剛性のプラスチック、ポリマー、金属、セラミック、ゴム、プラスチック、合成材料、木、支持体、ブレース等）によって、任意の好適な方法で（例えば、成形、押出、曲げ及び／又は任意の他の好適なプロセスによって）形成することができる。
【００７７】
幾つかの実施形態では、足支持体１４は、（例えば図９Ｆに示されているような）免荷穴９２を含み、及び／又は、容易にカスタマイズ可能であるように別様に構成されている。実際には、幾つかの実施形態では、足支持体には１つ又は複数の免荷穴が形成される。しかし、他の実施形態では、足支持体は、足支持体の一部を除去して、患者の足の裏３０の創傷に対応する位置に免荷穴又は窪みを形成することができるように構成されている。このように、足支持体は、足の創傷に加えられる圧力の量を低減することができる。
【００７８】
足支持体１４が容易にカスタマイズ可能である場合、限定はされないが、足支持体の一部をハサミ、ナイフ、パンチ及び／又は別の切断器具を用いて除去することを含め、足支持体の一部を任意の好適な方法で除去することができる。しかし、幾つかの実施形態では、足支持体は、容易に引き裂かれ、切られ、及び／又は、足支持体の１つ又は複数の部分を解放するように別様に分離される１つ又は複数の小孔線部分を含む。そのような小孔線部は、任意の好適な位置に任意の好適なパターンで配置することができるが、図９Ｉは、足支持体１４のソール部分９８が、足支持体の選択部分を除去して足の創傷から重みを免荷する（また、足の創傷への圧力を低減する）ことを可能にする、小孔線パターン又は格子１００を含む実施形態を示している。図９Ｉは、小孔線格子１００の幾つかの実施形態が、少なくとも２つの小孔線部が互いに対して実質的に直角に延びる小孔線パターンを含むことを示しているが、他の実施形態では、小孔線部は任意の他の好適な方法で（例えば、１つ又は複数の円形又は楕円形のパターンで、１つ又は複数の多角形のパターンで、互いに対して任意の角度で及び／又は別様に）延びる。非限定的な実例として、図９Ｐは、足支持体１４が八角形の免荷穴９２を画定する実施形態を示している。
【００７９】
足支持体１４は、患者の足３２の一部を支持し、かつ／又は、ギプス（例えば、ギプス１２及び／若しくは任意の他の好適な既知の若しくは新規のギプス）、靴及び／若しくはブーツにフィットすることを可能にする任意の好適なサイズであるものとすることができる。例えば、足支持体は任意の好適な長さで販売することができるが、幾つかの実施形態では、足支持体は、約８ｃｍ〜約４０ｃｍの、又は、その任意のサブ範囲内に入る（例えば約２５ｃｍ〜約３５ｃｍ）初期長さ（図９Ｊに示されているようなＩＬ）を有する。さらに、足支持体は、任意の好適な初期幅（ＩＷ）を有するように製造することができるが、幾つかの実施形態では、足支持体は、約２．５ｃｍ〜約２５ｃｍの、又は、その任意のサブ範囲内に入る（例えば約１０ｃｍ〜約１５ｃｍ）初期幅を有する。さらに、つま先保護部９４は、足支持体の前方端から後方に任意の好適な量だけ延びることができるが、幾つかの実施形態では、つま先保護部は、約０ｃｍ〜約２５ｃｍの、又は、その任意のサブ範囲内に入る（例えば約２．５ｃｍ〜約８ｃｍ）長さ（ＴＧＬ）を有する。実際には、図９Ｈに示されているように、幾つかの実施形態では、足支持体１４は、患者のつま先がつま先保護部９４から（例えば後方に）幾分離間することを可能にするほど十分な長さである。このように、つま先保護部は、幾つかの従来の全面接触ギプスにおいて生じる傾向があるような患者のつま先の浸軟を更に低減及び／又は防止することができる。その上、足支持体は、任意の好適な厚さ（図９Ｈに示されているようなＴ）であるものとすることができる。実際には、幾つかの実施形態では、足支持体は、約０．１ｃｍ〜約２．５ｃｍ、又は、その任意のサブ範囲内に入る（例えば０．３ｃｍ〜１．５ｃｍ）厚さを有する。
【００８０】
幾つかの実施形態では、足支持体１４は、そのサイズ（例えば長さ及び／又は幅）を、様々な足のサイズを有する患者とともに用いるために容易にカスタマイズ可能であるように更に構成されている。足支持体は、（例えば、切断器具によって比較的容易に切断される材料を含むことによって）任意の好適な方法でサイズを変える（それによって、カスタム免荷矯正器具になる）ように構成することができるが、幾つかの実施形態では、足支持体は、１つ又は複数のその縁（例えばその外側縁及び後方縁）に沿って小孔線部を含む。実例として、図９Ｋ及び図９Ｌは、足支持体１４がその縁に沿って複数の小孔線部１０２を含み、足支持体の長さ（例えばＩＬ）及び／又は幅（例えばＩＷ）を、そのような小孔線部において足支持体を切断するか又は引き裂くことによって低減することを可能にする幾つかの実施形態を示している。これに関して、図９Ｋ及び図９Ｌは、小孔線部１０２が比較的真っ直ぐな線を含む幾つかの実施形態を示しているが、幾つかの他の実施形態では、小孔線部は、患者の足跡の少なくとも一部を実質的に辿るように足支持体１４を容易に変更することを可能にする形状を含め、任意の他の好適な形状を有する。
【００８１】
前述した特徴に加えて、足支持体１４は、足の創傷から重みを免荷し、かつ／又は、足３２の一部に対してパッドを提供することを可能にする任意の好適な方法で変更することができる。好適な変更形態の１つの例では、つま先保護部９４の形状は、つま先保護部が患者のつま先のうちの１つ又は複数に合致することに役立つように変更される。つま先保護部は任意の好適な方法で変更することができるが、図９Ｋは、つま先保護部９４が、上面図から、患者の大きいつま先（図９Ｋには示さず）から患者の最小のつま先（図９Ｋには示さず）に向かって傾斜するように構成されている実施形態を示している。同様に、図９Ｌは、つま先保護部９４が、上面図から、右から左に、またその逆も同様に湾曲するように構成されている実施形態を示している。
【００８２】
好適な変更形態の別の例では、幾つかの実施形態において、足支持体１４は、１つ又は複数の通気穴を画定する。これらの穴は足支持体の任意の好適な部分に画定することができるが、図９Ｋ及び図９Ｌは、足支持体１４が、支持体のつま先保護部９４及び／又はソール部分９８に通気穴１０４を画定する幾つかの実施形態を示している。
【００８３】
別の例では、足支持体１４の幾つかの実施形態は、支持体の外側、内側及び／又は後方の縁の周りで完全に開いているが、幾つかの他の実施形態では、足支持体は１つ又は複数の側壁を含む。これに関して、そのような側壁は、（例えば、足支持体の外側縁、内側縁及び／又は後方縁の任意の好適な長さの周りに延び、また、患者の足及び／又は脚において任意の好適な高さまで上に延びるように）足支持体の任意の好適な位置に配置することができる。そのような側壁は任意の好適な機能を果たすことができるが、幾つかの実施形態では、１つ又は複数の側壁は、患者の足及び／若しくは脚への付加的な保護並びに／又は創傷圧力免荷を提供するのに用いられる。さらに、幾つかの実施形態では、側壁及び／又はつま先保護部９４は、患者の足又は脚の１つ又は複数の創傷に対応する位置において足支持体に（例えば、切断、引き裂き、分離小孔線線等によって）配置される１つ又は複数の免荷穴９２を任意選択的に画定し、したがって、重み／圧力をそのような創傷から免荷し、患者の下腿の他の部分に分散させることを可能にする。いずれの場合も、任意選択的な側壁を任意の好適な方法で形成することができるが、図９Ｍ及び図９Ｎは、側壁１０６が足支持体１４とともに形成される（又は別様に取り付けられる）幾つかの実施形態を示しており、それによって、側壁がつま先保護部９４の一方又は双方の側の位置において弾性的に（及び／又は剛性に若しくは半剛性に）維持される。
【００８４】
別の例では、足支持体１４は、足３２を足支持体に配置するときにユーザ（例えば医師）が創傷の位置を容易に特定することを可能にするダイ、カーボン紙、及び／又は、他の感圧材料を含むか又は別様にこれらとともに用いられる。このように、足支持体における免荷穴９２の位置を容易に判断することができる。
【００８５】
別の例では、足支持体１４及び／又はつま先保護部９４は、患者のつま先の２つ以上の間に（例えば鉛直に又は別様に）延びるように構成されている１つ又は複数のパッド、壁及び／又は他の分離体を含むように任意選択的に変更される。この例では、そのような分離体は、限定はされないが、通気に役立つこと、つま先の衝撃を和らげること、１つのつま先が別のつま先に対して擦れるのを防止すること、及び／又は、患者のつま先を別様に保護することを含む、任意の好適な機能を果たすことができる。実際には、幾つかの実施形態では、そのような分離体は、患者のつま先間の創傷から重みを免荷するように位置決めすることができる１つ又は複数の免荷穴９２を更に含み、及び／又は、含むように変更されるよう構成されている。
【００８６】
別の例では、足支持体１４の１つ又は複数の部分は、足支持体を任意の好適な物体（例えば、足プレート、ギプス（例えば、記載されるギプス１２及び／若しくは任意の他の好適なギプス）の内面、下張り１６構成要素（例えば、締め付け靴下１１０、パッド靴下１１２、局所パッド１１４の片等の内面及び／若しくは外面）、並びに／又は、任意の他の好適な構成要素に取り付けるように構成されている接着剤、機械的締結具、摩擦締結具、及び／又は、他の締結機構を含む。実際には、幾つかの実施形態では、足支持体の外面は、足支持体をギプスに取り付けるように構成されている接着剤を含む。幾つかの他の実施形態では、足支持体の内面は、足支持体を下張り１６の一部（例えば靴下）に取り付けるように構成されている接着剤を含む。
【００８７】
（前述した）また別の例では、足支持体１４の幾つかの実施形態は、抗菌材料（例えば、竹生地、銅コーティング生地、銀コーティング生地、抗生物質含浸材料等）を含む。この抗菌材料は、任意の好適な位置に配置することができるが、幾つかの実施形態では、足支持体の全て又は一部のカバーとして用いられる。非限定的な実例として、図９Ｇは、足支持体１４が、免荷穴９２に隣接して抗菌材料１０８を含む実施形態を示している。
【００８８】
更に別の例では、記載される足支持体１４は、本明細書では、全面接触ギプス（例えばギプス１２）とともに用いられるように記載されているが、限定はされないが、骨折した脚、足首、足又はつま先の既知の若しくは新規のギプス、手のギプス、腕のギプス等を含む任意の好適なギプスとともに用いられるように変更することができる。非限定的な実例として（図面を僅かにとばして）、図１１Ｄは、幾つかの実施形態において、足支持体１４が、限定はされないが、身体部分の周りを螺旋状に包む従来のギプス３０２を含め、事実上任意の既知の又は新規のギプスシステム３００において使用可能であることを示している。
【００８９】
更なる別の例では、足支持体１４の幾つかの実施形態は、患者の足を置く実質的に平坦な部分を含むが、幾つかの他の実施形態では、足支持体の少なくとも一部は、患者の足の一部（例えば裏）に合うか又は実質的に合うように形成される。これに関して、足支持体は、様々な患者に用いることを可能にする異なる一般的なサイズで作ることができ、かつ／又は、足支持体は、個々の患者に特別に適合されることができる。これに関して、足支持体の起伏は、限定はされないが、熱、プレス、金型及び／又は任意の他の好適な方法の使用を含め、任意の好適な方法で形成することができる。
【００９０】
好適な変更形態のまた別の例として、幾つかの実施形態では、足支持体１４は、１つ又は複数の層のパッドが任意選択的に配置される剛性の矯正器具を含む。そのような足支持体は、（限定はされないが）ギプス（例えばギプス１２）内の足に支持を提供すること、患者の足の一部（例えばつま先）を衝撃から保護すること等を含む任意の好適な機能を果たすことができるが、幾つかの実施形態では、足支持体は、別個のブーツ及び／又は足プレートを使用することなく患者がギプスを履いて歩くことを可能にするギプス歩行具を含む。
【００９１】
足支持体１４がギプス歩行具を含む場合、足支持体は任意の好適な特徴を有することができる。非限定的な実例として（図面において図９Ｏに戻って）、図９Ｏは、足支持体１４が、剛性の支持体９７；剛性、半剛性、及び／又は、弾性のつま先保護部９４;並びに、１つ又は複数の任意選択的な層のパッド９９（例えば、幾つかの実施形態では、免荷穴９２を任意選択的に画定する）を有するギプス歩行具９５を含む代表的な実施形態を示している。さらに、ギプス歩行具の下面は任意の好適な特徴を有することができる（例えば、実質的に平坦である、足支持体の近位に、前方に、内側に、及び／又は、下面の任意の他の好適な部分にわたって位置付けられる１つ又は複数の台、接触面及び／又は他の接地面を有する）が、図９Ｏは、幾つかの実施形態において、ギプス歩行具９５が、歩行具の幾分中央に位置付けられる１つ又は複数の接触面１０１又は接地面を含むことを示している。
【００９２】
足支持体１４がギプス歩行具９５を含む場合、ギプス歩行具は任意の好適な材料を含むことができる。これに関して、好適な材料の幾つかの例としては、限定はされないが、１つ又は複数のゴム、ポリマー、プラスチック、木、金属、セラミック、合成材料、天然材料及び／又は任意の他の好適な材料が挙げられる。しかし、幾つかの実施形態では、ギプス歩行具はゴムを含む。
【００９３】
好適な変更形態の更なる別の例では、幾つかの実施形態において、足支持体１４は、任意の好適なタイプの靴下及び／又は任意の他の好適な物体の一部に取り付けられ、その内部に配置され、接続され、及び／又は、別様にそれを含む。したがって、幾つかのそのような実施形態では、靴下及び足支持体を、足及び／又は別の好適な身体部分（例えば、手、腕、脚等）に装着して、身体部分にパッド及び／又は創傷免荷を提供することができる。
【００９４】
好適な変更形態の更に別の例では、患者のつま先又は足背部分にわたって終端するように構成されているつま先保護部９４の縁は、限定はされないが、（例えば図９Ｏに示されているような）実質的に正方形、丸みを帯びた、テーパ状及び／又は別の形状を含め、任意の好適な形状を有することができる。しかし、幾つかの実施形態では、そのような縁はテーパ状にされる。この縁は任意の好適な方法でテーパ状にすることができるが、図９Ｑは、幾つかの実施形態において、つま先保護部９４の一部が薄化され、斜角を付けられ、テーパ状にされ、及び／又は、別様に厚さを低減され、足支持体１４のそのような実施形態によって患者のつま先及び／又は足背側に加えられる可能性があるいかなる圧力も低減することに役立つことを示している。
【００９５】
前述した特徴に加えて、記載される足支持体１４は１つ又は複数の他の特徴部を有することができる。実際には、幾つかの実施形態では、足支持体は、患者に、患者の足３２の創傷から重みを免荷するように具体的に配置される免荷穴９２を提供するように構成されている。その結果、幾つかのそのような実施形態は、患者に、患者の足の創傷が幾つかの従来のギプスによって治癒し得るよりも速く治癒することを可能にする個別化された足支持体を提供することができる。
【００９６】
別の例として、記載されるつま先保護部９４は、患者のつま先を、ギプス（例えば、ギプス１２及び／若しくは任意の他の好適なギプス）との摩擦、又は、他の損傷からより良く保護することができ、幾つかの従来のギプスであり得るよりもテーピング又は他の外力が少ない。その結果、記載される足支持体の幾つかの実施形態は、患者の足がギプス内にある間に患者のつま先に対して引き起こされる更なる損傷の量を制限しながらも、治癒時間を縮小することに役立つことができる。
【００９７】
更に別の例では、足支持体１４は、本明細書では、ギプス（例えば、記載されるギプス１２及び／又は任意の他の好適なギプス）とともに用いられるように記載されるが、限定はされないが、単独で、並びに／又は、ギプスブーツ、靴、包帯、及び／若しくは、任意の他の好適な要素とともに用いられることを含め、任意の他の好適な方法で使用することができる。
【００９８】
ギプス下張り
ギプス下張り１６に関して、下張りは、ギプス（例えば、ギプス１２、並びに／又は、任意の他の既知の又は新規のギプス及び／若しくは添え木）の内面と、ギプス内の付属器官の皮膚との間に配置されるように構成されている任意の好適な材料又は物体を含むことができる。実際には、幾つかの実施形態では、下張りは、ギプス、パッドの片、陰圧器具（例えば、陰圧靴下、チューブ等）内の付属器官に圧迫を与えるように構成されている１つ又は複数の物品、及び／又は、ギプスと患者の皮膚との間に配置することができる他のアイテムを含む。非限定的な実例として、図１０Ａは、ギプス下張り１６が圧迫靴下１１０（又は他の好適な圧迫層）、パッド靴下１１２（又は他の好適なパッド層）及び局所パッド１１４を含む実施形態を示している。これに関して、下張りが２つ以上の構成要素（又は層）を含む幾つかの実施形態では、種々の構成要素は、ギプス（例えば、記載されるギプス１２、及び／又は、任意の他の好適なギプス若しくは添え木）とギプスによって覆われる皮膚との間からの剪断力又は動きを、下張りの２つ以上の構成要素間に伝達するように構成されている。そのような実施形態では、記載される下張りは、自身が覆う皮膚に対して摩擦する幾つかの従来のギプスシステムによって生じる可能性がある浸軟及び他の損傷を低減することができる。
【００９９】
下張り１６の種々の構成要素（又は層）（例えば、圧迫靴下１１０、パッド靴下１１２、局所パッド１１４等）は、構成要素が意図された通りに機能することを可能にする任意の好適な材料から作ることができる。そのような材料の幾つかの非限定的な例としては、綿、セルロース繊維、ガーゼ、ポリウレタンフォーム、ネオプレン、ポリエステル、レーヨン、及び／又は、１つ又は複数の抗菌材料が挙げられる。
【０１００】
下張り１６の１つ又は複数の構成要素（又は層）が抗菌材料（例えば、抗真菌剤、制菌材料、殺菌剤、及び／又は、任意の他の好適な抗菌材料）を含む場合、下張りは任意の好適な抗菌材料を含むことができる。そのような材料の幾つかの例としては、限定はされないが、１つ又は複数の竹生地及び竹材料（例えば、竹布、竹レーヨン、竹から作られるポリエステル、並びに／又は、竹を含む任意の他の好適な生地及び／若しくは材料）、銀コーティング材料（例えば、銀コーティングポリ（エチレンテレフタレート）、銀コーティングレーヨン、銀コーティングポリエステル等）、銅コーティング材料、銀／銅コーティング材料、銀／銅／ニッケルコーティング材料、銀／銅／錫コーティング材料、ヨウ素配合材料、殺菌剤、並びに／又は、限定はされないが、１つ又は複数の防臭特性を有するような抗菌材料を含む、（例えば上記で説明したような）任意の他の好適な抗菌材料が挙げられる。しかし、幾つかの実施態様では、下張りは竹含有生地を含む。これに関して、各下張り構成要素は、任意の好適な量の竹（例えば、約０．１％〜約１００％、又は、限定はされないが約７５％〜約９９％を含むその任意のサブ範囲）を含むことができる。
【０１０１】
（上記で述べたような）幾つかの実施形態では、下張り１６は、ギプス（例えば記載されるギプス１２）内の付属器官に圧迫を提供するように構成されている１つ又は複数の物品又は層を含む。そのような実施形態では、下張りは、ギプス内の付属器官に圧力を提供するように構成されている任意の好適な物品を含むことができる。しかし、幾つかの例では、この圧迫物品は、圧迫靴下、ストッキネット、チューブ及び／又はスリーブ（まとめて及び個々に圧迫靴下１１０；その代表的な実施形態が図１０Ｂに示されている）を含む。
【０１０２】
圧迫靴下１１０は、付属器官（例えば下腿２４）に任意の好適な量の圧力を与えることができるが、幾つかの実施形態では、圧迫靴下は、付属器官に任意の好適な圧力レベルで圧迫を与えるように構成されている。これに関して、幾つかの実施形態では、圧迫靴下は、付属器官に、約５ｍｍＨＧ〜約３０ｍｍＨＧ、又は、その任意のサブ範囲（例えば、約１０ｍｍＨＧ〜約２０ｍｍＨｇ、又は更には約１０ｍｍＨＧ〜１５ｍｍＨＧ）の圧力を与えるように構成されている。その上、幾つかの実施形態では、圧迫靴下は、圧迫靴下が適用される付属器官にわたって実質的に一定の圧迫を与えるように構成されている静的圧迫靴下を含むが、他の実施形態では、圧迫靴下は、（例えば患者のつま先によって）靴下の遠位端においてより高い圧迫を与えるように構成されている連続圧迫靴下を含む。
【０１０３】
（上記で述べたような）幾つかの実施形態では、下張り１６は、ギプス（例えばギプス１２）内の付属器官にパッドを提供するように構成されている１つ又は複数のパッド層又は靴下１１２を含む（例えば図１０Ｃを参照のこと）。そのような実施形態では、パッド靴下は、ギプス（例えばギプス１２）内の付属器官の一部の周りにパッドを提供するように構成されている任意の好適な物品（例えば、靴下、ストッキネット、スリーブ、チューブ、シート等）を含むことができる。その上、パッド靴下は任意の好適な量のパッドを提供することができるが、幾つかの実施形態では、靴下は、約１ｍｍ〜約３ｃｍ厚（例えば付属器官に適用される前）であるか、又は、その任意のサブ範囲に入る厚さ（例えば、約１．５ｃｍ〜約２ｃｍ）を有するように構成されている。さらに、幾つかの実施形態では、ギプス（例えばギプス１２及び／又は別の好適なギプス）は、パッド靴下がギプスの内面に結合されないように構成されているが、他の実施形態では、パッド靴下の（全てではないにしても）一部が、ギプスが硬化する前又は後でギプスに結合される。
【０１０４】
下張り１６の種々の構成要素は、任意の好適な方法で（例えば、スピニング、編み、クローシェ編み、織り、縫い付け、押出等によって）作ることができるが、幾つかの実施形態では、１つ又は複数の構成要素（例えば圧迫靴下１１０及び／又はパッド靴下１１２）は編まれ、及び／又は、織られる。この編み及び／又は織りプロセスは任意の好適な既知の又は新規の方法で達成することができるが、幾つかの実施形態では、このプロセスは、下張りの種々の構成要素（例えば圧迫靴下及びパッド靴下）が、そのような構成要素が穴あけされるか又は切断されるとき（例えば、少なくともそのような構成要素がそれらの外周の周りで完全に切断されないとき）に、ほころばないか又は相当にほころぶことがないか若しくは解けないように構成されている織り方を含むように行われる。その結果、幾つかのそのような実施形態では、種々の構成要素は、そのような構成要素へのかなりの損傷を生じることなく、（例えば、真空チューブ、ドレーンチューブ等のような医療用チューブが１つ又は複数の構成要素を通ることを可能にするように）切断するか又は穴あけすることができる。
【０１０５】
局所パッド１１４に関して、下張り１６は、任意の好適な量の付加的なパッドを、付加的なパッドから利益を受け得る任意の好適な位置に（例えば、患者のつま先、患者の足背部分、すね、脹脛、足首、患者の腓骨の近位部分の外側、患者の脛骨の近位部分の前方部分、及び／又は、ギプス（例えばギプス１２）内の任意の他の身体部分にわたって）任意選択的に含むことができる。付加的なパッドは、ギプス及び下張りの１つ又は複数の構成要素に対して任意の好適な関係を有することができるが、幾つかの実施形態では、局所パッドは、ギプスの内面に（例えば、縫い付け、接着剤、テープ、及び／又は、任意の他の好適な機構によって）固定される。これに関して、図１０Ｄ及び図１０Ｅは、任意選択的なすねパッド１１６及び全長パッド１１８がギプス１２の内面１２０に取り付けられる実施形態をそれぞれ示している。対照的に、図１０Ｆ及び図１０Ｇは、任意選択的なすねパッド１１６が所望に応じてギプス１２に加えられるように構成されている実施形態を示している。その上、図１１Ａ〜図１１Ｃは、幾つかの実施形態において、局所パッド１１４が下張りの別の部分（例えば、圧迫靴下１１０及び／又はパッド靴下１１２）に取り付けられることを示している。そのようなパッドは任意の好適な位置に配置することができるが、図１１Ａ〜図１１Ｃは、幾つかの実施形態において、付加的なパッド１１４が、足首部分７２、すね部分７０及び外側脚部分１２４にわたって（例えば、患者の腓骨及び／又は脛骨の近位の外側部分にわたって）配置されるように構成されていることを示している。
【０１０６】
上述した特徴に加えて、ギプス下張り１６は、ギプス（例えばギプス１２）内の付属器官に当て物をし、剪断の低減を提供し、通気させ、かつ／又は、別様に保護することを可能にする任意の好適な方法で変更することができる。好適な変更形態の１つの例では、下張り１６の種々の構成要素（例えば、圧迫靴下１１０、パッド靴下１１２及び／又は局所パッド１１４）は、単独で（例えば、互いの任意の組み合わせで）、記載されるギプスシステム１０の要素の任意の好適な組み合わせで、並びに／又は、任意の他の好適なギプス、添え木及び／若しくは包帯システムとともに用いることができる。実際には、幾つかの実施形態では、下張りの１つ又は複数の部分（例えば、抗菌材料を含む圧迫靴下、パッド靴下及び／又は局所パッド）は、既知の又は新規の：上肢ギプス（例えば、短上肢ギプス、長上肢ギプス、指スパイカ、親指スパイカ等）、下肢ギプス（例えば、長下肢ギプス、短下肢ギプス等）、シリンダギプス、体幹ギプス、スパイカ、添え木及びそれらの組み合わせにおける下張りとして用いられる。１つの非限定的な例では、竹材料（及び／又は別の抗菌材料）を含む圧迫靴下及びパッド靴下は、腕ギプスにおける下張りとして用いられる。同様に、１つの非限定的な実例では、図１１Ｄは、下張り１６の１つ又は複数の構成要素（例えば、圧迫靴下１１０、パッド靴下１１２及び局所パッド１１４）が、限定はされないが、身体部分の周りに螺旋状に巻き付けられる従来のギプス３０２を含む、事実上任意の既知の又は新規のギプスシステム３００において使用可能である実施形態を示している。
【０１０７】
別の例では、幾つかの実施形態では、第１の下張り構成要素（例えば圧迫靴下１１０）は、第２の下張り（例えばパッド靴下１１２）よりも高い圧迫を有する。幾つかのそのような実施形態では、そのような構造は、剪断力が、皮膚と第１の下張り構成要素との間の接触面ではなく、第１の下張り構成要素と第２の下張り構成要素（及び／又は別の下張り構成要素）との間の相互作用に伝達される可能性を高めることが可能である。
【０１０８】
変更形態の別の例では、下張り１６の任意の好適な部分（例えば、圧迫靴下１１０、パッド靴下１１２及び／又は局所パッド１１４）をギプスシステム１０から取り外すことができ、かつ／又は、任意の他の構成要素をシステムに加えることができる。実際には、下張りは２つの材料層（例えば圧迫及びパッド靴下）を含むことができるが、幾つかの実施形態では、下張りは、３つ、４つ、５つ、６つ、７つ、８つ又はそれ以上の層を含む。幾つかのそのような実施形態では、付加的な層（例えば、１つ又は複数の靴下、ストッキネット、スリーブ、シート等）は、ギプスが患者の皮膚に対して移動するときに、剪断力が、そのような皮膚に対して生じるのではなく、種々の層間で生じることを可能にすることを含め、任意の好適な目的を果たすことができる。
【０１０９】
更に別の例では、幾つかの実施形態では、下張り１６の１つ又は複数の構成要素は、種々の下張り構成要素に予め形成された（例えば、織り込まれ、編み込まれ、切り込まれ、次に解けることを防止するように縫い止めされ、及び／又は、別様に形成される）１つ又は複数の穴を含む。したがって、幾つかのそのような実施形態では、種々の構成要素を、通気及び／又は医療用チューブに対応するようにそのような構成要素に穴あけするか、切り込むか又は引き裂く必要なく、そのような通気に及び／又はチューブとともに用いることができる。
【０１１０】
好適な変更形態のまた別の例では、下張り１６の種々の構成要素は、任意の好適な順で付属器官（例えば下腿２４）に配置することができる。例えば、図１０Ａは、圧迫靴下１１０が（図１０Ａには示されていない）患者の下腿２４の最も近くに配置され、パッド靴下１１２が圧迫靴下１１０の外側に配置され、すねパッド１１６及び足支持体１４がパッド靴下の外側に配置される実施形態を示しているが、そのような構成要素の順を任意の好適な方法で再編成することができる。実際には、幾つかの例では、足支持体が圧迫靴下内に配置される。
【０１１１】
別の例では、幾つかの実施形態では、下張り１６の各要素（例えば、圧迫靴下１１０、パッド靴下１１２及び局所パッド１１４）は、（術後の状況及び／又は他の好適な環境で、例えば、ギプス、添え木、靴、人工装具、スキーブーツ、ローラーブレード／ローラースケートブーツにおいて）一緒に用いられるが、幾つかの他の実施形態では、下張りの種々の構成要素は、個々に及び／又は任意の他の好適な組み合わせで（例えば、人の皮膚が、人工装具、ハイキングブーツ、スキーブーツ等の内面等の別の物体に近接しているときにそのような皮膚に生じる可能性がある剪断による損傷を低減するように）用いられる。非限定的な実例として（図１Ｃに戻ると）、その図は、任意選択的な局所パッド１１４が省かれ、圧迫靴下１１０及びパッド靴下１１２が（例えば、患者の皮膚（図１Ｃには示されていない）とギプス１２の内面との間の剪断の低減を提供するように）記載されるギプス１２において用いられる実施形態を示している。
【０１１２】
更に別の例では、下張り１６の幾つかの実施形態は、ギプス１２（又は別の好適なギプス、添え木及び／若しくは包帯）と完全に独立して動くことができるが、幾つかの他の実施形態では、下張りの１つ又は複数の構成要素は、ギプス及び下張りが付属器官に配置されるときにギプスに少なくとも部分的に取り付けられる。これらの後者の実施形態では、下張りの任意の好適な部分（例えば、圧迫靴下１１０、パッド靴下１１２及び／又は局所パッド１１４）を、任意の好適な方法で（例えば、１つ又は複数の接着剤、テープの片、ギプス材料内のタッキファイヤ／硬化材料、機械的な取り付け、摩擦取り付け等によって）ギプスに取り付けることができる。その結果、幾つかの実施形態では、記載される下張りは、ギプスと患者の皮膚との間の剪断力を低減することが可能である。
【０１１３】
好適な変更形態のまた別の例では、圧迫靴下１１０、パッド靴下１１２及び／又は局所パッド１１４の幾つかの実施形態は、そのような構成要素を用いて付属器官の創傷に対応する位置に構成されている免荷穴を（例えば、切り込み、引き裂き、切り離し用小孔線によって、及び／又は、別様に画定するように構成されている）含み、及び／又は、含むように構成されている。このように、下張り１６の１つ又は複数の構成要素は、創傷から少なくとも幾らかの重み／圧力を免荷し、そのような重み／圧力を、そのような構成要素（複数の場合もあり）を用いて付属器官の別の部分に分散させることに役立つことができる。
【０１１４】
下張り１６の種々の構成要素のそれぞれは、付属器官の創傷（及び／又は任意の他の好適な身体部分）に対応可能な位置に免荷穴９２を画定することを可能にする任意の好適な方法で任意選択的に変更することができる。１つの例では、下張りの１つ又は複数の構成要素は、１つ又は複数の免荷穴を含むように作製される。しかし、別の例では、下張り構成要素のうちの１つ又は複数の幾つかの実施形態は容易にカスタマイズ可能であり、それによって、種々の下張り構成要素の１つ又は複数の部分を、免荷穴を提供するように除去することができる。そのような実施形態では、下張りの種々の部分は、限定はされないが、圧迫靴下１１０、パッド靴下１１２及び／又は局所パッド１１４の一部を、ハサミ、ナイフ、パンチ及び／又は別の切断器具によって除去することを含む任意の好適な方法で除去することができる。しかし、幾つかの実施形態では、下張り構成要素のうちの１つ又は複数は、そのような構成要素の１つ又は複数の部分を解放するように容易に引き裂かれ、切り込まれ、及び／又は、別様に分離される１つ又は複数の小孔線部分を含む。非限定的な実例として、図１０Ｇは、任意選択的な局所パッド１１４が、創傷に対応可能な位置に免荷穴（図示せず）を形成するようにパッドの１つ又は複数の部分を除去することを可能にする複数の小孔線１１７を含む実施形態を示している。
【０１１５】
前述した特徴に加えて、記載されるギプス下張り１６は幾つかの特徴部を有することができる。実際には、下張りの１つ又は複数の部分（例えば、圧迫靴下１１０、パッド靴下１１２及び／又は局所パッド１１４）が抗菌材料（例えば竹生地）を含む１つの例では、下張りは、感染症、臭気、細菌、真菌、余分な水分に対抗することに役立ち、かつ／又は、包帯を巻かれる付属器官の創傷が治癒することに別様に役立つことができる。さらに、下張りの１つ又は複数の構成要素が竹又は別の通気性の生地（限定はされないが、通気穴が形成されている生地を含む）を含む幾つかの実施形態では、ギプスシステム１０は、綿の下張りを単に含む幾つかの従来のギプスで可能であるよりも良好な通気を提供することができる。その結果、記載される下張りの上記の幾つかの実施形態は、治癒時間を改善し、かつ／又は、特定の治癒手順に関連するコストを低減することができる。
【０１１６】
下張り１６の有利な特徴のまた別の例では、下張りが２つ、３つ、４つ、５つ又はそれ以上の層の１つ又は複数の材料（例えば、１つ又は複数の圧迫靴下１１０、パッド靴下１１２、局所パッド１１４層等）を含む幾つかの実施態様では、下張りは、ギプスが付される付属器官の皮膚とギプス自体との間の剪断する動きが下張りの複数の層（例えば、パッド靴下１１０及び圧迫靴下１１２）間で生じることを可能にする多層剪断低減システムとして機能する。その結果、記載される下張りの幾つかの実施形態は、幾つかの従来のギプスによって多くの場合に生じる皮膚の損傷を著しく低減することができる。
【０１１７】
足プレート／ブーツ
足プレート及びブーツ１８に関して、足プレート及び／又はブーツは、患者が創傷のある足／脚に足プレート及び／又はブーツを装着することを可能にする任意の好適な構成要素を含むことができる。足プレートに関して、足プレートは、患者の足を支持することを可能にする任意の好適な構成要素又は特徴を含むことができる。実際には、幾つかの実施形態では、足プレートは上部足底面及び下面を含む。これに関して、上部面は、足プレートが患者の足を支持することを可能にする任意の好適な特徴を含むことができる。非限定的な実例として、図１２Ａは、幾つかの実施形態において、足プレート１２４がプレートの後方端１２８に向かって窪み（又は踵カップ１２６）を画定することを示している。この窪みは、任意の好適な機能を果たすことができるが、幾つかの実施形態では、患者の踵を受け、かつ／又は、患者の踵が整形外科用足プレート１２４に正確に位置決めされる（すなわち、足が足プレートに最初に置かれて患者が歩くときに）ことを確実にすることに役立つように構成されている。
【０１１８】
足プレート１２４の下面は、患者が足プレートに載って歩くことを可能にする任意の好適な特徴を含むことができるが、幾つかの実施形態では、足プレートはカム形状の下面を含む。これに関して、カム形状の下面の偏心部分を、患者が歩き、かつ／又は、患者の足を表面にわたって滑らせることを可能にする任意の好適な位置（例えば、足プレートの後方、内側、外側、前方、中間等）に配置することができる。非限定的な実例として、図１２Ｂ、図１２Ｃ及び図１２Ｄは、足プレート１２４の偏心部分１３０が足プレート１２４の前方、中間及び後方に配置される実施形態をそれぞれ示している。
【０１１９】
足プレート１２４の好適な特徴の別の例として、足プレートは、患者が載って歩くことを可能にする任意の好適な厚さを有することができる。実際には、幾つかの実施形態では、患者が患者の足を置く足プレートの上面１３２の最高点と、足プレートの下面１３６の最低点１３４との間の（図１２ＢにおいてＤによって示されているような）距離は、約１ｍｍ〜約５ｃｍである。その上、足プレートの上面の最高点と下面の最低点との間の距離Ｄは、上述した範囲の任意のサブ範囲（例えば約０．３ｃｍ〜約１．５ｃｍ）に入ることができる。実際には、幾つかの実施形態では、記載される足プレートは比較的薄く（例えば約０．４ｃｍ〜約０．８ｃｍ）、したがって、足プレートを使用する患者の脚と、（患者が足プレートを片足にのみ装着する場合の）足プレートを装着しない患者の脚との間の任意の肢の長さの違いを低減する。
【０１２０】
足プレート１２４の好適な特徴のまた別の例として、足プレートは、意図される通りに使用されることを可能にする任意の好適な方法で、ギプス（例えば、記載されるギプス１２及び／若しくは任意の他の好適なギプス）、添え木、脚、足、並びに／又は、任意の他の好適な物体に取り付けることができる。実際には、幾つかの実施形態では、足プレート及びギプス（例えばギプス１２）は、（例えば、１つ又は複数の接着剤、テープの片、種々の溶接、種々の縫い付け、機械的締結具及び／又は任意の他の好適な機構によって）一体的に接続されるが、他の実施形態では、２つの構成要素は（例えば、１つ又は複数のストラップ、フックアンドループ締結具、紐等によって）選択的に取り付け可能である。１つの例では、図１２Ｅは、ギプス１２及び足プレートが、接着剤（図示せず）、フックアンドループ締結具（図示せず）、テープの片（図示せず）、ギプスの一部の内部で巻き付けられる足プレートの一部（図示せず）によって、及び／又は、任意の他の好適な方法で取り付けられることを示している。別の例では、図１２Ｆ及び図１２Ｇは、（幾つかの実施形態において）足プレート１２４が、１つ又は複数のストラップ、紐、及び／又は、足プレートをギプスに固定するように足プレート及びギプスの一部の周りに巻き付けられる他の結合材１３８（例えば、結合窪み１４０又は別のものにおける）を受け入れるように構成されていることを示している。
【０１２１】
足プレート１２４をギプス、脚、及び／又は、別の好適な構成要素に接続する好適な方法の別の例として、幾つかの実施形態では、足プレートは、足プレートを患者の脚に固着させることを可能にする１つ又は複数の直立支持体を含む。このように、足プレートはブーツ１８として用いることができる。
【０１２２】
直立支持体は任意の好適な構成要素を含むことができるが、図１２Ｊ〜図１２Ｌは、直立支持体１４２の幾つかの実施形態が、限定はされないが、直立支持体を患者の脚／ギプスに固定することが可能な１個、２個、３個、４個、５個、６個、７個、８個又はそれ以上のストラップ、紐、及び／又は、他の装置を含み得る１つ又は複数の取り付け機構１４４に取り付けられるように構成されていることを示している。さらに、図１２Ｌは、直立支持体１４２の幾つかの実施形態が、患者の足の創傷から重みを更に免荷するように、直立支持体に対する圧力を患者の脚の一部にわたって分散させることに役立つ１つ又は複数のフラップ１４６（例えば、図１２Ｍ、図１２Ｎ及び図１２Ｏにそれぞれ示されているような、外側／内側フラップ１４８、後方フラップ１５０及び／又は前方フラップ１５２）を含み、及び／又は、それらに取り付けられることを示している。幾つかのそのような実施形態では、フラップは任意の好適な特徴を有することができる。実際には、幾つかの実施形態では、フラップの内面の１つ又は複数（例えば、ギプスに接触するように構成されている面）は、（例えば、患者がブーツを履いて歩くときに）ギプスに対するその位置を維持することを可能にする材料、テクスチャ及び／又は他の特徴を含む。
【０１２３】
記載される足プレート１２４／ブーツ１８は、その意図される目的を果たすことを可能にする任意の好適な方法で変更することができる。１つの例では、足プレート／ブーツは、記載されるギプスシステム１０の任意の及び／又は全ての構成要素を含むように変更することができる。例えば、（例えば図１２Ｋに示されているような）幾つかの実施形態では、足支持体１４は足プレート１２に取り付けられる。別の例では、足プレートは、任意の好適な及び既知の又は新規のスリッパ、サンダル、靴、オーバーシューズ（例えば雨靴）、スライド及び／又は他の履物／ギプスウエアに取り付け可能である。非限定的な実例として、図１２Ｑは、足プレート１２４が靴１５４に取り付けられる代表的な実施形態を示している。
【０１２４】
関連する方法
記載されるギプスシステム１０の種々の構成要素は、構成要素が（個々に又は組み合わせて）患者の身体の創傷のある部分を保護することに役立つことを可能にする任意の好適な方法で用いることができる。これに関して、記載されるギプスシステムの種々の構成要素は、任意の好適な組み合わせで用いることができ、これは、ギプスシステムの事実上任意の部分を省くことができ、ギプスシステムの任意の部分の代わりに、１つ又は複数の他の既知の又は新規の構成要素を用いることができ、かつ、任意の好適な構成要素（限定はされないが、任意の好適な創傷被覆材、一時的接触創傷被覆材、ギプス、下張り、ブーツ、足プレート、靴下、靴、軟膏、陰圧機構、陽圧機構、並びに／又は、任意の他の好適な機構、薬剤及び／若しくは治療を含む）を、記載されるギプスシステムの１つ又は複数の構成要素に加えることができる（又はそれらとともに用いられる）ことを意味する。
【０１２５】
ギプスシステム１０の記載される構成要素は患者に任意の好適な方法で適用することができるが、図１３は、ギプスシステムを患者に配置する方法１９８の幾つかの実施形態を示している。しかし、この方法は、（この方法の１つ又は複数の部分を再構成すること、付加すること、取り除くこと、代替すること及び／又は別様に変更することを含む）任意の好適な方法で変更することができる。
【０１２６】
図１３のステップ２０２に示されているように、少なくとも幾つかの実施形態では、方法１９８は、任意の好適な既知の又は新規の創傷被覆材（例えば一次接触創傷被覆材）を創傷に適用することによって、ステップ２００において任意選択的に開始する。ステップ２０２は、幾つかの実施形態において、方法１９８が、記載されるギプスシステム１０の１つ又は複数の要素（例えば、ギプス１２、足支持体１４、圧迫靴下１１０、パッド靴下１１２、局所パッド１１４、ブーツ１８及び／又は足プレート１２４）を提供することによって続くことを示している。
【０１２７】
ステップ２０４は、ギプスシステム１０が足支持体１４を含む幾つかの実施形態において、方法１９８が、足支持体が患者の足に任意選択的に合わせられながら続くことを示している。足支持体は任意の好適な方法で患者の足に合わせることができるが、幾つかの実施形態では、患者の足は、足支持体に（例えば、衝突を回避するために足支持体の前方端に対して幾分後方に）置かれ、患者の足の輪郭が足支持体に作られ、輪郭の外側に出る足支持体の部分は、（例えば、小孔線部１０２の引き裂き、支持体をハサミで切り取ること等によって）除去される。患者の足が創傷を含む幾つかの実施形態では、創傷の位置を判断し、足支持体の対応する部分を除去して免荷穴９２を形成する。さらに、幾つかの実施形態では、足支持体が患者の足の輪郭に合うように切り取られて免荷穴が形成されると、足支持体は、適切に合わせられたことを確実にするように患者の足に当接して置かれる。
【０１２８】
方法１９８を続けると、ステップ２０６は、方法が圧迫靴下１１０を適用することを含む幾つかの実施形態において、靴下を（例えば包帯を巻かれた又は包帯を巻かれていない下腿２４に）適用することができることを示している。この靴下は任意の好適な方法で適用することができるが、幾つかの実施形態では、圧迫靴下は、患者のつま先が適切な通気を受けることができるように、患者に巻かれ、スライドされ、及び／又は、別様に配置される。
【０１２９】
ステップ２０８において、図１３は、ギプスシステム１０がパッド付き靴下１１２を含む幾つかの実施形態において、パッド付き靴下が患者の脚に（例えば圧迫靴下１１０を覆って）適用されることを示している。パッド付き靴下は任意の好適な方法で適用することができるが、幾つかの実施形態では、靴下の近位部分（例えば、患者の膝に隣接する部分）は、患者の膝に対して遠位に（例えば、患者の腓骨頭の下に指１本〜３本分の幅）折り返される。
【０１３０】
ステップ２１０において、図１３は、ギプスシステム１０が局所パッド１１４の片（例えばすねパッド１１６）を含む幾つかの実施形態において、局所パッドが患者の下腿２４に任意選択的に適用されることを示している。局所パッドは任意の好適な方法で適用することができるが、幾つかの実施形態では、局所パッドは、表面（例えばパッド靴下１１２の表面）に付着することを可能にする接着剤を含む。さらに、幾つかの実施形態では、局所パッドの一部はパッド靴下の折り返された部分の下に押し込まれる。
【０１３１】
ステップ２１２において、図１３は、ギプスシステム１０が足支持体１４を含む幾つかの実施形態において、患者の足（例えば圧迫靴下１１０及びパッド靴下１１２で覆われた足）が足支持体１４に置かれることを示している。
【０１３２】
方法１９８を続けると、ステップ２１４は、ギプスシステム１０がクラムシェル型ギプス１２を含む幾つかの実施形態において、ギプスが患者の下腿２４に適用されることを示している。ギプスは任意の好適な方法で患者に適用することができるが、図１４Ａ〜図１４Ｆは、幾つかの実施形態において、ギプス材料１８の準備が整うと（例えば、濡らされ；気密パッケージ、箔パッケージ及び／若しくは他の好適なパッケージから取り出され；並びに／又は、別様に準備される）、患者の脚２４が（例えば図１４Ａに示されているような）展開されたギプス１２に配置され、長尺ギプス材料１８の第２の部分２６及び第３の部分３４が（例えば図１４Ｂに示されているように）足背部分３８及びすね部分７０に折り重ねられることを示している。
【０１３３】
ストラップ４８及び５０は、任意の好適な方法でギプス１２の周りに巻き付けられることができるが、幾つかの実施形態では、周りに又は互いに一致して巻き付けられるように構成されている。これに関して、各ストラップの種々の部分は、それ自身及び／又は任意の他のストラップの任意の他の部分に一致し、巻き付けられ、及び／又は、別様に接続されることができる。しかし、幾つかの実施形態では、１つ又は複数のストラップは、どのストラップが互いに一致し及び／又は接続されるべきかを示すように任意選択的にマーキングされる。これに関して、種々のストラップは、容易に一致させることを可能にする任意の好適な方法でマーキングすることができる。実際には、幾つかの実施形態では、ストラップ一致ストラップは、１つ又は複数の一致するマーキング（例えば、符号、文字、言葉及び／又は他のマーキング）、一致する色（例えば、材料及び／若しくは糸の色）、並びに／又は、ユーザ（例えば医師）が、どのストラップが互いに一致し及び／又は接続されるべきかを迅速に特定することを可能にする任意の他の好適な一致する機構を含む。非限定的な実例として、図１４Ａは、ストラップ４８及び５０が、一緒に接続されるべきストラップ（例えばストラップ４８及び５０）に同じ文字（例えばＡ、Ｂ、Ｃ又はＤ）がマーキングされるストラップ一致機構２２０を含む幾つかの実施形態を示している。
【０１３４】
いずれの場合も、図１４Ｃ及び図１４Ｄは、幾つかの実施形態において、足が脚に対して好適な角度（例えば約９０±１０度）で保たれている間にストラップ４８及び５０が適所に巻き付けられ、切れ目６２又はノッチ６０が踵又は他の屈曲地点に形成され（例えば図１４Ｅ）、更なるギプス材料（図示せず）がギプスの１つ又は複数の部分から任意選択的に除去され、更なるギプス材料がギプスの１つ又は複数の部分に巻かれるか又は別様に配置され（例えば、幾つかの実施形態では、ギプスを強化し、かつ／又は、ギプスの１つ又は複数の穴６４又は開口を覆う）、並びに／又は、圧迫靴下１１０の近位端がギプス１２の近位端に折り重ねられる（例えば図１４Ｆ）ことを示している。幾つかの実施形態では、ギプスが硬化する前にギプスを滑らかにするために水もギプスに適用される。
【０１３５】
図１３に戻ると、ステップ２１６は、幾つかの実施形態において、（例えば図１Ａに示されているように）ギプス１２がブーツ１８及び／又は足プレート１２４に配置されながら方法１９８が続くことを示している。これに関して（上記で説明したように）、ギプスは、ギプスとの併用に好適な任意の既知の又は新規のブーツ内に配置される。さらに、幾つかの実施形態では、方法１９８は、創傷が治癒することに役立つように１回又は複数回繰り返される。
【０１３６】
記載されるギプスシステム１０の種々の構成要素は、限定はされないが、織り、編み、押出、成形、加熱、プレス、包装、切断、折り重ね、縫い付け、切れ目付け、接着、小孔線、締結具による取り付け、曲げ及び／又は任意の他の好適な技法を含む、任意の好適な方法で形成することができる。さらに、幾つかの実施形態では、記載されるギプスシステムの１つ又は複数の構成要素は、市場に出される前に滅菌されるが、幾つかの他の実施形態では、ギプスシステムの１つ又は複数の構成要素は滅菌されないままである。
【０１３７】
したがって、本発明は整形外科用ギプスに関する。詳細には、本発明の幾つかの実施態様は、脚又は足等の付属器官の治療において用いることができる全面接触ギプスシステムの１つ又は複数の構成要素に関する。より詳細には、記載されるギプスシステムの幾つかの実施態様は、患者の足の痛む部位、潰瘍及び／又は創傷から重みを免荷しながら、患者の足及び脚を支持するように構成されている。
【０１３８】
任意の前述した変更形態に加えて、当業者は、この記載の主旨及び範囲から逸脱することなく多くの他の変形形態及び代替的な配置を考案することができ、添付の特許請求の範囲は、そのような変更形態及び配置を包含することが意図される。したがって、情報は、最も実用的で好ましい態様であると目下みなされるものに関連して具体的かつ詳細に上記で記載されているが、当業者には、限定はされないが、形状、機能、動作方法及び使用を含む多くの変更を、本明細書において記載される原理及び概念から逸脱することなく行うことができることが明らかである。また、本明細書において用いられる場合、例、実施態様及び実施形態は、全ての点において、専ら例示的であることが意図され、決して限定するものとはみなされるべきではない。加えて、接して、配置される、取り付けられる、接続される、結合される等の用語が本明細書において用いられる場合、１つの物体（例えば材料、要素、構造、部材等）が他の物体に直接的に接するか、取り付けられるか、接続されるか若しくは結合されるか、又は、１つの物体と他の物体との間に１つ又は複数の介在する物体があるか否かにかかわらず、１つの物体が別の物体に接するか、取り付けられるか、接続されるか又は結合されることができる。また、方向（例えば、〜の上部、下、上、上部、底部、側部、上方、下方、下、〜にわたって、上側、下側、外側、内側、鉛直、水平、遠位、近位等）は、与えられる場合、相対的なものであり、単に例として、例示及び説明を容易にするために与えられ、限定するものではない。さらに、本明細書において要素の列挙（例えば要素ａ、ｂ、ｃ）に言及する場合、そのような言及は、列挙される要素のいずれか１つを単独で、列挙される要素の全てではない任意の組み合わせ、及び／又は、列挙される要素の全ての組み合わせを含むことが意図される。また、本明細書において用いられる場合、「１つの」という用語は、少なくとも１つの及び１つ又は複数という用語とそれぞれ入れ替え可能であり得る。ステップという用語が本明細書において用いられるが、その用語は、単に記載される方法の異なる部分に注意を引くために用いられる場合があり、方法の任意の部分の開始時点又は終了時点を説明するか又は決して限定的することは意図されないことにも留意されたい。
【図１Ａ】
2016528962.tif 000003
【図１Ｂ】
2016528962.tif 000004
【図１Ｃ】
2016528962.tif 000005
【図２Ａ】
2016528962.tif 000006
【図２Ｂ】
2016528962.tif 000007
【図２Ｃ】
2016528962.tif 000008
【図２Ｄ】
2016528962.tif 000009
【図２Ｅ】
2016528962.tif 000010
【図３Ａ】
2016528962.tif 000011
【図３Ｂ】
2016528962.tif 000012
【図４Ａ】
2016528962.tif 000013
【図４Ｂ】
2016528962.tif 000014
【図４Ｃ】
2016528962.tif 000015
【図４Ｄ】
2016528962.tif 000016
【図４Ｅ】
2016528962.tif 000017
【図５Ａ】
2016528962.tif 000018
【図５Ｂ】
2016528962.tif 000019
【図５Ｃ】
2016528962.tif 000020
【図６Ａ】
2016528962.tif 000021
【図６Ｂ】
2016528962.tif 000022
【図６Ｃ】
2016528962.tif 000023
【図７Ａ】
2016528962.tif 000024
【図７Ｂ】
2016528962.tif 000025
【図７Ｃ】
2016528962.tif 000026
【図８】
2016528962.tif 000027
【図９Ａ】
2016528962.tif 000028
【図９Ｂ】
2016528962.tif 000029
【図９Ｃ】
2016528962.tif 000030
【図９Ｄ】
2016528962.tif 000031
【図９Ｅ】
2016528962.tif 000032
【図９Ｆ】
2016528962.tif 000033
【図９Ｇ】
2016528962.tif 000034
【図９Ｈ】
2016528962.tif 000035
【図９Ｉ】
2016528962.tif 000036
【図９Ｊ】
2016528962.tif 000037
【図９Ｋ】
2016528962.tif 000038
【図９Ｌ】
2016528962.tif 000039
【図９Ｍ】
2016528962.tif 000040
【図９Ｎ】
2016528962.tif 000041
【図９Ｏ】
2016528962.tif 000042
【図９Ｐ】
2016528962.tif 000043
【図９Ｑ】
2016528962.tif 000044
【図１０Ａ】
2016528962.tif 000045
【図１０Ｂ】
2016528962.tif 000046
【図１０Ｃ】
2016528962.tif 000047
【図１０Ｄ】
2016528962.tif 000048
【図１０Ｅ】
2016528962.tif 000049
【図１０Ｆ】
2016528962.tif 000050
【図１０Ｇ】
2016528962.tif 000051
【図１１Ａ】
2016528962.tif 000052
【図１１Ｂ】
2016528962.tif 000053
【図１１Ｃ】
2016528962.tif 000054
【図１１Ｄ】
2016528962.tif 000055
【図１２Ａ】
2016528962.tif 000056
【図１２Ｂ】
2016528962.tif 000057
【図１２Ｃ】
2016528962.tif 000058
【図１２Ｄ】
2016528962.tif 000059
【図１２Ｅ】
2016528962.tif 000060
【図１２Ｆ】
2016528962.tif 000061
【図１２Ｇ】
2016528962.tif 000062
【図１２Ｈ】
2016528962.tif 000063
【図１２Ｉ】
2016528962.tif 000064
【図１２Ｊ】
2016528962.tif 000065
【図１２Ｋ】
2016528962.tif 000066
【図１２Ｌ】
2016528962.tif 000067
【図１２Ｍ】
2016528962.tif 000068
【図１２Ｎ】
2016528962.tif 000069
【図１２Ｏ】
2016528962.tif 000070
【図１２Ｐ】
2016528962.tif 000071
【図１２Ｑ】
2016528962.tif 000072
【図１４Ａ】
2016528962.tif 000073
【図１４Ｂ】
2016528962.tif 000074
【図１４Ｃ】
2016528962.tif 000075
【図１４Ｄ】
2016528962.tif 000076
【図１４Ｅ】
2016528962.tif 000077
【図１４Ｆ】
2016528962.tif 000078
【図１３】
2016528962.tif 000079
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
整形外科用ギプスであって：
硬化性ギプス材料の長尺片であって：
患者の付属器官の第１の表面にわたって延びるように構成されている、前記ギプス材料の第１の長さ；
患者の付属器官の端部の周りに巻き付くように構成されている、前記ギプス材料の第２の長さ；及び
患者の付属器官の第２の表面を上に延びるように構成されている、前記ギプス材料の第３の長さであって、前記第２の表面は、患者の付属器官の前記第１の表面とは実質的に反対側であり、前記ギプス材料の前記第１の長さ及び前記ギプス材料の前記第３の長さは、前記整形外科用ギプスを患者の付属器官に固定するように構成されている、第３の長さ
を含む硬化性ギプス材料の長尺片
を備える、整形外科用ギプス。
【請求項２】
前記整形外科用ギプスは、前記第１の長さと前記第３の長さとの間に延びて前記整形外科用ギプスを患者の付属器官に固定するように構成されているウイング及びストラップのうちの少なくとも一方を含む、請求項１に記載のギプス。
【請求項３】
患者の付属器官は脚を含み、前記ギプス材料の前記第２の長さは、脚の踵、裏及びつま先の一部にわたって延びるように構成されている、請求項１に記載のギプス。
【請求項４】
患者の付属器官は脚を含み、前記ギプス材料の前記第３の長さは、足背部分及び脚のすねにわたって延びるように構成されている、請求項１に記載のギプス。
【請求項５】
患者の付属器官は脚を含み、前記第２の部分は、前記第２の部分と前記第３の部分との間で脚の足背部分にわたって延びるように構成されている足ストラップを含む、請求項１に記載のギプス。
【請求項６】
前記硬化性ギプス材料の長尺片は、それ自体が患者の付属器官の周りに螺旋状に巻き付かない、請求項１に記載のギプス。
【請求項７】
前記第１の長さと前記第３の長さとの間に延びて前記整形外科用ギプスを患者の付属器官に固定するように構成されているストラップを更に含む、請求項１に記載のギプス。
【請求項８】
前記ストラップは、患者の付属器官に適用される前に前記ギプス材料の一部に恒久的に結合される、請求項７に記載のギプス。
【請求項９】
前記ストラップは、前記第１の長さ、前記第２の長さ及び前記第３の長さのうちの少なくとも１つに取り付けられ、前記第１の長さ、前記第２の長さ及び前記第３の長さのうちの少なくとも１つから実質的に直角に延びる、請求項７に記載のギプス。
【請求項１０】
患者の付属器官は脚を含み、前記整形外科用ギプスは、前記第１の長さと前記第３の長さとの間で、前記整形外科用ギプスの足首部分及び足部分のうちの少なくとも一方の周囲に延びる補強材を更に含む、請求項１に記載のギプス。
【請求項１１】
整形外科用ギプスであって：
硬化性ギプス材料の長尺片であって：
患者の下腿の後面にわたって延びるように構成されている、前記ギプス材料の第１の長さ；
患者の脚の足の踵端及びつま先端にわたって巻き付くように構成されている、前記ギプス材料の第２の長さ；並びに
患者の下腿の前面にわたって延びるように構成されている、前記ギプス材料の第３の長さ
を含む、硬化性ギプス材料の長尺片；並びに
前記第１の長さと前記第３の長さとの間に延びて前記整形外科用ギプスを患者の下腿に固定するように構成されているコネクタ
を備える、整形外科用ギプス。
【請求項１２】
前記コネクタは、前記硬化性ギプス材料の片を含む、請求項１１に記載のギプス。
【請求項１３】
前記コネクタは、前記硬化性ギプス材料の前記長尺片よりも、前記硬化性ギプス材料のより少ない層を含む、請求項１２に記載のギプス。
【請求項１４】
前記硬化性ギプス材料の前記長尺片は、前記第１の長さと前記第２の長さとの間の折り曲げ調節部を含む、請求項１１に記載のギプス。
【請求項１５】
前記硬化性ギプス材料の前記長尺片は、前記第２の長さと前記第３の長さとの間の折り曲げ調節部を含む、請求項１１に記載のギプス。
【請求項１６】
前記硬化性ギプス材料の前記長尺片は通気穴を画定する、請求項１１に記載のギプス。
【請求項１７】
前記硬化性ギプス材料は抗菌材料を含む、請求項１１に記載のギプス。
【国際調査報告】
2016528962.tif 000080
2016528962.tif 000081
2016528962.tif 000082
2016528962.tif 000083
2016528962.tif 000084